(57)【要約】      （修正有）【課題】出発地から目的地に向かって搬送中の搬送ボックスの位置を測定することができ、搬送ボックスの現在の位置を外部に知らせることができる搬送ボックスを提供する。【解決手段】搬送ボックス１０は、それの位置を測定するＧＰＳモジュールと、所定のデータを記憶する記憶デバイスと、所定のデータを外部受信機に送信する無線モジュールと、出発地から目的地に向かって搬送中の搬送ボックス１０の位置をＧＰＳモジュールを利用して測定する位置測定手段と、位置測定手段によって測定した搬送ボックス１０の出発地から目的地までの各位置データを位置測定日時とともに記憶デバイスに記憶する位置データ記憶手段と、位置測定手段によって測定した搬送ボックス１０の現在の位置データを無線モジュールを利用して外部受信機に送信する位置データ送信手段とを有する。【選択図】図１
2019018870.tif 000002
【特許請求の範囲】
【請求項１】
所定容積の収容空間を有して所定の物品を収容し、前記物品を出発地から目的地に搬送する搬送ボックスにおいて、
前記搬送ボックスが、前記搬送ボックスの位置を測定するＧＰＳモジュールと、所定のデータを記憶する記憶デバイスと、所定のデータを外部受信機に送信する無線モジュールと、前記出発地から前記目的地に向かって搬送中の前記搬送ボックスの位置を前記ＧＰＳモジュールを利用して測定する位置測定手段と、前記位置測定手段によって測定した前記搬送ボックスの前記出発地から前記目的地までの各位置データを位置測定日時とともに前記記憶デバイスに記憶する位置データ記憶手段と、前記位置測定手段によって測定した前記搬送ボックスの現在の位置データを前記無線モジュールを利用して前記外部受信機に送信する位置データ送信手段とを有することを特徴とする搬送ボックス。
【請求項２】
前記搬送ボックスが、前記ＧＰＳモジュールによって測定された前記搬送ボックスの現在の位置と該搬送ボックスの搬送速度と前記目的地までの距離とから該搬送ボックスが該目的地に到着する時間を算出する到着時間算出手段と、前記到着時間算出手段によって算出した到着時間データを前記無線モジュールを利用して前記外部受信機に送信する到着時間データ送信手段とを含む請求項１に記載の搬送ボックス。
【請求項３】
前記搬送ボックスが、前記記憶デバイスに記憶した各位置データを利用して前記搬送ボックスが辿った前記出発地から前記目的地までの移動ルートを割り出す移動ルート割出手段と、前記移動ルート割出手段によって割り出した移動ルートデータを位置測定日時とともに前記記憶デバイスに記憶する移動ルートデータ記憶手段と、前記移動ルート割出手段によって割り出した移動ルートデータを位置測定日時とともに前記無線モジュールを利用して前記外部受信機に送信する移動ルートデータ送信手段とを含む請求項１または請求項２に記載の搬送ボックス。
【請求項４】
前記搬送ボックスが、事前に設定された到着時間に前記搬送ボックスが前記目的地に到着するための最適な搬送ルートを前記ＧＰＳモジュールを利用して割り出す搬送ルート割出手段と、事前に設定された到着時間に前記搬送ボックスが前記目的地に到着するための最適な搬送速度を前記ＧＰＳモジュールを利用して算出する搬送速度算出手段と、前記搬送ルート割出手段によって割り出した搬送ルートデータを前記憶デバイスに記憶する搬送ルートデータ記憶手段と、前記搬送速度算出手段によって算出した搬送速度データを前記憶デバイスに記憶する搬送速度データ記憶手段と、前記搬送ルート割出手段によって割り出した搬送ルートデータを前記無線モジュールを利用して前記外部受信機に送信する搬送ルートデータ送信手段と、前記搬送速度算出手段によって算出した搬送速度データを前記無線モジュールを利用して前記外部受信機に送信する搬送速度データ送信手段とを含む請求項１ないし請求項３いずれかに記載の搬送ボックス。
【請求項５】
前記搬送ボックスが、前記搬送ボックスを前記出発地から前記目的地に向かって搬送中に該搬送ボックスに加えられた衝撃を測定する衝撃センサと、前記衝撃センサによって測定された衝撃測定データを衝撃測定日時とともに前記記憶デバイスに記憶する衝撃測定データ記憶手段と、前記衝撃センサによって測定された衝撃測定データを衝撃測定日時とともに前記無線モジュールを利用して前記外部受信機に送信する衝撃測定データ送信手段とを含む請求項１ないし請求項４いずれかに記載の搬送ボックス。
【請求項６】
前記搬送ボックスが、前記衝撃センサによって測定された衝撃測定値が事前に設定された許容衝撃値を超えた場合、衝撃異常を示す衝撃異常データを前記無線モジュールを利用して前記外部受信機に送信する衝撃異常データ送信手段を含む請求項５に記載の搬送ボックス。
【請求項７】
前記搬送ボックスが、前記搬送ボックスを前記出発地から前記目的地に向かって搬送中に該搬送ボックスの収容空間の温度を測定する温度センサと、前記搬送ボックスを前記出発地から前記目的地に向かって搬送中に該搬送ボックスの収容空間の湿度を測定する湿度センサと、前記温度センサによって測定された温度測定データを温度測定日時とともに前記記憶デバイスに記憶する温度測定データ記憶手段と、前記湿度センサによって測定された湿度測定データを湿度測定日時とともに前記記憶デバイスに記憶する湿度測定データ記憶手段と、前記温度センサによって測定された温度測定データを温度測定日時とともに前記無線モジュールを利用して前記外部受信機に送信する温度測定データ送信手段と、前記湿度センサによって測定された湿度測定データを湿度測定日時とともに前記無線モジュールを利用して前記外部受信機に送信する湿度測定データ送信手段とを含む請求項１ないし請求項６いずれかに記載の搬送ボックス。
【請求項８】
前記搬送ボックスが、前記温度センサによって測定された搬送ボックスの収容空間の温度測定値が事前に設定された許容温度値を超えまたは許容温度値未満になった場合、温度異常を示す温度異常データを前記無線モジュールを利用して前記外部受信機に送信する温度異常データ送信手段と、前記湿度センサによって測定された搬送ボックスの収容空間の湿度測定値が事前に設定された許容湿度値を超えまたは許容湿度値未満になった場合、湿度異常を示す湿度異常データを前記無線モジュールを利用して前記外部受信機に送信する湿度異常データ送信手段とを含む請求項７に記載の搬送ボックス。
【請求項９】
前記搬送ボックスが、前記搬送ボックスを前記出発地から前記目的地に向かって搬送中に該搬送ボックスの収容空間の圧力を測定する圧力センサと、前記圧力センサによって測定された圧力測定データを圧力測定日時とともに前記記憶デバイスに記憶する圧力測定データ記憶手段と、前記圧力センサによって測定された圧力測定データを圧力測定日時とともに前記無線モジュールを利用して前記外部受信機に送信する圧力測定データ送信手段とを含む請求項１ないし請求項８いずれかに記載の搬送ボックス。
【請求項１０】
前記搬送ボックスが、前記圧力センサによって測定された圧力測定値が事前に設定された許容圧力値を超えまたは許容圧力値未満になった場合、圧力異常を示す圧力異常データを前記無線モジュールを利用して前記外部受信機に送信する圧力異常データ送信手段を含む請求項９に記載の搬送ボックス。
【請求項１１】
前記搬送ボックスが、前記搬送ボックスを前記出発地から前記目的地に向かって搬送中に該搬送ボックスの収容空間の光を測定する光センサと、前記光センサによって測定された光測定データを光測定日時とともに前記記憶デバイスに記憶する光測定データ記憶手段と、前記光センサによって測定された光測定データを光測定日時とともに前記無線モジュールを利用して前記外部受信機に送信する光測定データ送信手段とを含む請求項１ないし請求項１０いずれかに記載の搬送ボックス。
【請求項１２】
前記搬送ボックスが、前記光センサによって測定された光測定値が事前に設定された許容光値を超えまたは許容光値未満になった場合、光異常を示す光異常データを前記無線モジュールを利用して前記外部受信機に送信する光異常データ送信手段を含む請求項１１に記載の搬送ボックス。
【請求項１３】
前記搬送ボックスでは、それが車両に積載されて前記出発地から前記目的地に向かって搬送される請求項１ないし請求項１２いずれかに記載の搬送ボックス。
【発明の詳細な説明】
【技術分野】
【０００１】
本発明は、所定の物品を出発地から目的地に搬送する搬送ボックスに関する。
【背景技術】
【０００２】
上面開放のアウターボックスと、アウターボックスの内側に収容され、アウターボックスの縦横の一方の辺に沿った水平第１方向の任意の位置に配置可能であって他方の辺に沿った水平第２方向への移動が規制された所定の荷物を収容可能な上面開放のインナーボックスとを備え、インナーボックスの両側部が上方から挿入されてそのインナーボックスを水平第１方向の任意の位置に位置決め可能な複数のアウター側挿入係合部がアウターボックスのうちの水平第２方向で対向した１対の内側面に形成された搬送ボックスが開示されている（特許文献１参照）。
【先行技術文献】
【特許文献】
【０００３】
【特許文献１】特開２００７−５０９１０号公報
【発明の概要】
【発明が解決しようとする課題】
【０００４】
前記特許文献１に開示の搬送ボックスは、インナーボックスをアウターボックスに押し込むだけで所望の位置に位置決めすることができ、荷物の組み合わせの変更に容易に対応することが可能になる。しかし、この搬送ボックスは、出発地から目的地に向かって搬送中の搬送ボックスの位置を測定することができず、搬送ボックスの位置のログを取ることができないとともに、搬送ボックスの現在の位置を外部に知らせることができない。また、搬送ボックスは、出発地から目的地に向かって搬送中の搬送ボックスに加えられた衝撃や出発地から目的地に向かって搬送中の搬送ボックスの内部の温度、出発地から目的地に向かって搬送中の搬送ボックスの内部の湿度を測定することができず、搬送ボックスに加えられた衝撃のログや搬送ボックスの内部の温度のログ、搬送ボックスの内部の湿度のログを取ることができないとともに、搬送ボックスに加えられた衝撃や搬送ボックスの内部の温度、搬送ボックスの内部の湿度を外部に知らせることができない。
【０００５】
本発明の目的は、出発地から目的地に向かって搬送中の搬送ボックスの位置を測定することができ、出発地から目的地までの搬送ボックスの位置のログを取ることができるとともに、搬送ボックスの現在の位置を外部に知らせることができる搬送ボックスを提供することにある。本発明の他の目的は、出発地から目的地に向かって搬送中の搬送ボックスに加えられた衝撃や出発地から目的地に向かって搬送中の搬送ボックスの収容空間の温度、出発地から目的地に向かって搬送中の搬送ボックスの収容空間の湿度を測定することができ、搬送ボックスに加えられた衝撃のログや搬送ボックスの収容空間の温度のログ、搬送ボックスの収容空間の湿度のログを取ることができるとともに、搬送ボックスに加えられた衝撃や搬送ボックスの収容空間の温度、搬送ボックスの収容空間の湿度を外部に知らせることができる搬送ボックスを提供することにある。
【課題を解決するための手段】
【０００６】
前記課題を解決するための本発明の前提は、所定容積の収容空間を有して所定の物品を収容し、物品を出発地から目的地に搬送する搬送ボックスである。
【０００７】
前記前提における本発明の特徴は、搬送ボックスが、搬送ボックスの位置を測定するＧＰＳモジュールと、所定のデータを記憶する記憶デバイスと、所定のデータを外部受信機に送信する無線モジュールと、出発地から目的地に向かって搬送中の搬送ボックスの位置をＧＰＳモジュールを利用して測定する位置測定手段と、位置測定手段によって測定した搬送ボックスの出発地から目的地までの各位置データを位置測定日時とともに記憶デバイスに記憶する位置データ記憶手段と、位置測定手段によって測定した搬送ボックスの現在の位置データを無線モジュールを利用して外部受信機に送信する位置データ送信手段とを有することにある。
【０００８】
本発明の一例としては、搬送ボックスが、ＧＰＳモジュールによって測定された搬送ボックスの現在の位置と搬送ボックスの搬送速度と目的地までの距離とから搬送ボックスが目的地に到着する時間を算出する到着時間算出手段と、到着時間算出手段によって算出した到着時間データを無線モジュールを利用して外部受信機に送信する到着時間データ送信手段とを含む。
【０００９】
本発明の他の一例としては、搬送ボックスが、記憶デバイスに記憶した各位置データを利用して搬送ボックスが辿った出発地から目的地までの移動ルートを割り出す移動ルート割出手段と、移動ルート割出手段によって割り出した移動ルートデータを位置測定日時とともに記憶デバイスに記憶する移動ルートデータ記憶手段と、移動ルート割出手段によって割り出した移動ルートデータを位置測定日時とともに無線モジュールを利用して外部受信機に送信する移動ルートデータ送信手段とを含む。
【００１０】
本発明の他の一例としては、搬送ボックスが、事前に設定された到着時間に搬送ボックスが目的地に到着するための最適な搬送ルートをＧＰＳモジュールを利用して割り出す搬送ルート割出手段と、事前に設定された到着時間に搬送ボックスが目的地に到着するための最適な搬送速度をＧＰＳモジュールを利用して算出する搬送速度算出手段と、搬送ルート割出手段によって割り出した搬送ルートデータを記憶デバイスに記憶する搬送ルートデータ記憶手段と、搬送速度算出手段によって算出した搬送速度データを憶デバイスに記憶する搬送速度データ記憶手段と、搬送ルート割出手段によって割り出した搬送ルートデータを無線モジュールを利用して外部受信機に送信する搬送ルートデータ送信手段と、搬送速度算出手段によって算出した搬送速度データを無線モジュールを利用して外部受信機に送信する搬送速度データ送信手段とを含む。
【００１１】
本発明の他の一例としては、搬送ボックスが、搬送ボックスを出発地から目的地に向かって搬送中に搬送ボックスに加えられた衝撃を測定する衝撃センサと、衝撃センサによって測定された衝撃測定データを衝撃測定日時とともに記憶デバイスに記憶する衝撃測定データ記憶手段と、衝撃センサによって測定された衝撃測定データを衝撃測定日時とともに無線モジュールを利用して外部受信機に送信する衝撃測定データ送信手段とを含む。
【００１２】
本発明の他の一例としては、搬送ボックスが、衝撃センサによって測定された衝撃測定値が事前に設定された許容衝撃値を超えた場合、衝撃異常を示す衝撃異常データを無線モジュールを利用して外部受信機に送信する衝撃異常データ送信手段を含む。
【００１３】
本発明の他の一例としては、搬送ボックスが、搬送ボックスを出発地から目的地に向かって搬送中に搬送ボックスの収容空間の温度を測定する温度センサと、搬送ボックスを出発地から目的地に向かって搬送中に搬送ボックスの収容空間の湿度を測定する湿度センサと、温度センサによって測定された温度測定データを温度測定日時とともに記憶デバイスに記憶する温度測定データ記憶手段と、湿度センサによって測定された湿度測定データを湿度測定日時とともに記憶デバイスに記憶する湿度測定データ記憶手段と、温度センサによって測定された温度測定データを温度測定日時とともに無線モジュールを利用して外部受信機に送信する温度測定データ送信手段と、湿度センサによって測定された湿度測定データを湿度測定日時とともに無線モジュールを利用して外部受信機に送信する湿度測定データ送信手段とを含む。
【００１４】
本発明の他の一例としては、搬送ボックスが、温度センサによって測定された搬送ボックスの収容空間の温度測定値が事前に設定された許容温度値を超えまたは許容温度値未満になった場合、温度異常を示す温度異常データを無線モジュールを利用して外部受信機に送信する温度異常データ送信手段と、湿度センサによって測定された搬送ボックスの収容空間の湿度測定値が事前に設定された許容湿度値を超えまたは許容湿度値未満になった場合、湿度異常を示す湿度異常データを無線モジュールを利用して外部受信機に送信する湿度異常データ送信手段とを含む。
【００１５】
本発明の他の一例としては、搬送ボックスが、搬送ボックスを出発地から目的地に向かって搬送中に搬送ボックスの収容空間の圧力を測定する圧力センサと、圧力センサによって測定された圧力測定データを圧力測定日時とともに記憶デバイスに記憶する圧力測定データ記憶手段と、圧力センサによって測定された圧力測定データを圧力測定日時とともに無線モジュールを利用して外部受信機に送信する圧力測定データ送信手段とを含む。
【００１６】
本発明の他の一例としては、搬送ボックスが、圧力センサによって測定された圧力測定値が事前に設定された許容圧力値を超えまたは許容圧力値未満になった場合、圧力異常を示す圧力異常データを無線モジュールを利用して外部受信機に送信する圧力異常データ送信手段を含む。
【００１７】
本発明の他の一例としては、搬送ボックスが、搬送ボックスを出発地から目的地に向かって搬送中に搬送ボックスの収容空間の光を測定する光センサと、光センサによって測定された光測定データを光測定日時とともに記憶デバイスに記憶する光測定データ記憶手段と、光センサによって測定された光測定データを光測定日時とともに無線モジュールを利用して外部受信機に送信する光測定データ送信手段とを含む。
【００１８】
本発明の他の一例としては、搬送ボックスが、光センサによって測定された光測定値が事前に設定された許容光値を超えまたは許容光値未満になった場合、光異常を示す光異常データを無線モジュールを利用して外部受信機に送信する光異常データ送信手段を含む。
【００１９】
本発明の他の一例として、搬送ボックスでは、それが車両に積載されて出発地から目的地に向かって搬送される。
【発明の効果】
【００２０】
本発明に係る搬送ボックスによれば、出発地から目的地に向かって搬送中の搬送ボックスの位置をＧＰＳモジュールを利用して測定し、測定した搬送ボックスの出発地から目的地までの各位置データを位置測定日時とともに記憶デバイスに記憶するから、出発地から目的地に向かって搬送中の搬送ボックスの位置を測定することができ、出発地から目的地までの搬送ボックスの位置のログを取ることができるとともに、出発地から目的地までの搬送ボックスの位置を事後的に確認することができる。搬送ボックスは、測定した搬送ボックスの現在の位置データを無線モジュールを利用して外部受信機に送信するから、搬送ボックスの現在の位置を外部に知らせることができ、外部受信機を介して搬送ボックスの現在の位置をリアルタイムに知ることができる。
【００２１】
ＧＰＳモジュールによって測定された搬送ボックスの現在の位置と搬送ボックスの搬送速度と目的地までの距離とから搬送ボックスが目的地に到着する時間を算出し、算出した到着時間データを無線モジュールを利用して外部受信機に送信する搬送ボックスは、搬送ボックスの目的地への到着時間を算出し、算出した到着時間データを無線モジュールを利用して外部受信機に送信することで、搬送ボックスの目的地への到着時間を外部に知らせることができ、外部受信機を介して搬送ボックスの目的地への到着時間をリアルタイムに知ることができる。
【００２２】
記憶デバイスに記憶した各位置データを利用して搬送ボックスが辿った出発地から目的地までの移動ルートを割り出し、割り出した移動ルートデータを位置測定日時とともに記憶デバイスに記憶し、割り出した移動ルートデータを位置測定日時とともに無線モジュールを利用して外部受信機に送信する搬送ボックスは、出発地から目的地までの搬送ボックスの移動ルートのログを取ることができ、出発地から目的地までの搬送ボックスの移動ルートを事後的に確認することができるとともに、予定した搬送ルートによって搬送ボックスが搬送されたことを事後的に確認することができる。
【００２３】
事前に設定された到着時間に搬送ボックスが目的地に到着するための最適な搬送ルートをＧＰＳモジュールを利用して割り出し、事前に設定された到着時間に搬送ボックスが目的地に到着するための最適な搬送速度をＧＰＳモジュールを利用して算出し、割り出した搬送ルートデータを憶デバイスに記憶し、算出した搬送速度データを憶デバイスに記憶するとともに、割り出した搬送ルートデータを無線モジュールを利用して外部受信機に送信し、算出した搬送速度データを無線モジュールを利用して外部受信機に送信する搬送ボックスは、事前に設定された到着時間に搬送ボックスが目的地に到着するための最適な搬送ルートを割り出し、事前に設定された到着時間に搬送ボックスが目的地に到着するための最適な搬送速度を算出し、割り出した搬送ルートデータおよび算出した搬送速度データを外部受信機に送信することで、搬送ボックスの目的地への最適な搬送ルートや最適な搬送速度を外部に知らせることができ、外部受信機を介して搬送ボックスの目的地への最適な搬送ルートや最適な搬送速度を知ることができる。
【００２４】
出発地から目的地に向かって搬送中に搬送ボックスに加えられた衝撃を測定し、測定された衝撃測定データを衝撃測定日時とともに記憶デバイスに記憶し、衝撃センサによって測定された衝撃測定データを衝撃測定日時とともに無線モジュールを利用して外部受信機に送信する搬送ボックスは、出発地から目的地に搬送中の搬送ボックスに加えられた衝撃を測定し、その衝撃測定データを衝撃測定日時とともに外部受信機に送信することで、搬送過程において搬送ボックスに加えられた衝撃の大小を知ることができ、搬送ボックスの衝撃を緩和する等の的確な対策を取ることができる。搬送ボックスは、搬送ボックスに収容された物品の衝撃によるダメージを図り知ることができ、その物品の廃棄や交換、修理等の的確な対策を物品の配送時に知らせることができる。搬送ボックスは、出発地から目的地までの間に搬送ボックスに加えられた衝撃のログを取ることができ、出発地から目的地までに搬送ボックスに加えられた衝撃を事後的に確認することができ、物品のダメージの原因がその衝撃であることを知ることができる。
【００２５】
衝撃センサによって測定された衝撃測定値が事前に設定された許容衝撃値を超えた場合、衝撃異常を示す衝撃異常データを無線モジュールを利用して外部受信機に送信する搬送ボックスは、衝撃測定値が許容衝撃値を超えた場合に衝撃異常データを外部受信機に送信することで、許容衝撃値を超えた衝撃が搬送ボックスに加えられたことを知ることができ、搬送ボックスの衝撃を緩和する等の的確な対策を取ることができる。搬送ボックスは、搬送ボックスに収容された物品の衝撃によるダメージを図り知ることができ、その物品の廃棄や交換、修理等の的確の対策を物品の配送時に知らせることができる。
【００２６】
搬送ボックスを出発地から前記目的地に向かって搬送中に搬送ボックスの収容空間の温度を測定する温度センサと、搬送ボックスを出発地から目的地に向かって搬送中に搬送ボックスの収容空間の湿度を測定する湿度センサとを含み、温度センサによって測定された温度測定データを温度測定日時とともに記憶デバイスに記憶し、湿度センサによって測定された湿度測定データを湿度測定日時とともに記憶デバイスに記憶するとともに、温度センサによって測定された温度測定データを温度測定日時とともに無線モジュールを利用して外部受信機に送信し、湿度センサによって測定された湿度測定データを湿度測定日時とともに無線モジュールを利用して外部受信機に送信する搬送ボックスは、出発地から目的地に搬送中の搬送ボックスの収容空間の温度や湿度を測定し、その温度測定データや湿度測定データを測定日時とともに外部受信機に送信することで、搬送過程における搬送ボックスの収容空間の温度の高低や湿度の高低を知ることができ、搬送中の搬送ボックスの温度や湿度を最適なそれらに再調整する等の的確な対策を取ることができる。搬送ボックスは、搬送ボックスに収容された物品の温度や湿度によるダメージを図り知ることができ、その物品の廃棄や交換、修理等の的確な対策を物品の配送時に知らせることができる。搬送ボックスは、出発地から目的地までの間における搬送ボックスの収容空間の温度や湿度のログを取ることができ、出発地から目的地までの搬送ボックスの収容空間の温度や湿度を事後的に確認することができ、物品のダメージの原因がその温度やその湿度であることを知ることができる。
【００２７】
温度センサによって測定された搬送ボックスの収容空間の温度測定値が事前に設定された許容温度値を超えまたは許容温度値未満になった場合、温度異常を示す温度異常データを無線モジュールを利用して外部受信機に送信し、湿度センサによって測定された搬送ボックスの収容空間の湿度測定値が事前に設定された許容湿度値を超えまたは許容湿度値未満になった場合、湿度異常を示す湿度異常データを前記無線モジュールを利用して外部受信機に送信する搬送ボックスは、温度測定値が許容温度値を超えまたは許容温度値未満になった場合に温度異常データを外部受信機に送信し、湿度測定値が許容湿度値を超えまたは許容湿度値未満になった場合に湿度異常データを外部受信機に送信することで、搬送ボックスの収容空間が許容温度値を超えた温度または許容温度値未満の温度であることや搬送ボックスの収容空間が許容湿度値を超えた湿度または許容湿度値未満の湿度であることを知ることができ、搬送中の搬送ボックスの温度や湿度を最適なそれらに再調整する等の的確な対策を取ることができる。搬送ボックスは、搬送ボックスに収容された物品の温度や湿度の異常によるダメージを図り知ることができ、その物品の廃棄、交換、修理等の的確な対策を物品の配送時に知らせることができる。
【００２８】
搬送ボックスを出発地から目的地に向かって搬送中に搬送ボックスの収容空間の圧力を測定する圧力センサを含み、圧力センサによって測定された圧力測定データを圧力測定日時とともに記憶デバイスに記憶し、圧力センサによって測定された圧力測定データを圧力測定日時とともに無線モジュールを利用して外部受信機に送信する搬送ボックスは、出発地から目的地に搬送中の搬送ボックスの収容空間の圧力を測定し、その圧力測定データを測定日時とともに外部受信機に送信することで、搬送過程における搬送ボックスの収容空間の圧力の高低を知ることができ、搬送中の搬送ボックスの圧力を最適なそれに加圧または減圧する等の的確な対策を取ることができる。搬送ボックスは、搬送ボックスに収容された物品の圧力によるダメージを図り知ることができ、その物品の廃棄や交換、修理等の的確な対策を物品の配送時に知らせることができる。搬送ボックスは、出発地から目的地までの間における搬送ボックスの収容空間の圧力のログを取ることができ、出発地から目的地までの搬送ボックスの収容空間の圧力を事後的に確認することができ、物品のダメージの原因がその圧力であることを知ることができる。
【００２９】
圧力センサによって測定された圧力測定値が事前に設定された許容圧力値を超えまたは許容圧力値未満になった場合、圧力異常を示す圧力異常データを無線モジュールを利用して外部受信機に送信する搬送ボックスは、圧力測定値が許容圧力値を超えまたは許容圧力値未満になった場合に圧力異常データを外部受信機に送信することで、搬送ボックスの収容空間が許容圧力値を超えた圧力または許容圧力値未満の圧力であることを知ることができ、搬送中の搬送ボックスの圧力を最適なそれに加圧または減圧する等の的確な対策を取ることができる。搬送ボックスは、搬送ボックスに収容された物品の圧力の異常によるダメージを図り知ることができ、その物品の廃棄、交換、修理等の的確な対策を物品の配送時に知らせることができる。
【００３０】
搬送ボックスを出発地から目的地に向かって搬送中に搬送ボックスの収容空間の光を測定する光センサを含み、光センサによって測定された光測定データを光測定日時とともに記憶デバイスに記憶し、光センサによって測定された光測定データを光測定日時とともに無線モジュールを利用して外部受信機に送信する搬送ボックスは、出発地から目的地に搬送中の搬送ボックスの収容空間の光の状態を測定し、その光測定データを測定日時とともに外部受信機に送信することで、搬送過程における搬送ボックスの収容空間の光の状態の良否を知ることができ、搬送中の搬送ボックスの光の状態を最適なそれに再調整する等の的確な対策を取ることができる。搬送ボックスは、搬送ボックスに収容された物品の光によるダメージを図り知ることができ、その物品の廃棄や交換、修理等の的確な対策を物品の配送時に知らせることができる。搬送ボックスは、出発地から目的地までの間における搬送ボックスの収容空間の光の状態のログを取ることができ、出発地から目的地までの搬送ボックスの収容空間の光の状態を事後的に確認することができ、物品のダメージの原因がその光であることを知ることができる。
【００３１】
光センサによって測定された光測定値が事前に設定された許容光値を超えまたは許容光値未満になった場合、光異常を示す光異常データを無線モジュールを利用して外部受信機に送信する搬送ボックスは、光測定値が許容光値を超えまたは許容光値未満になった場合に光の状態の異常データを外部受信機に送信することで、搬送ボックスの収容空間が許容光値を超えた光の状態または許容光値未満の光の状態であることを知ることができ、搬送中の搬送ボックスの光の状態を最適なそれに再調整する等の的確な対策を取ることができる。搬送ボックスは、搬送ボックスに収容された物品の光の異常によるダメージを図り知ることができ、その物品の廃棄、交換、修理等の的確な対策を物品の配送時に知らせることができる。
【００３２】
車両に積載されて出発地から目的地に向かって搬送される搬送ボックスは、車両に積載されて出発地から目的地に向かって搬送中の搬送ボックスの位置を測定することができ、出発地から目的地までの搬送ボックスの位置のログを取ることができるとともに、出発地から目的地までの搬送ボックスの位置を事後的に確認することができる。搬送ボックスは、車両に積載されて搬送中の搬送ボックスの現在の位置データを無線モジュールを利用して外部受信機に送信するから、車両によって搬送中の搬送ボックスの現在の位置を外部に知らせることができ、外部受信機を利用して車両によって搬送中の搬送ボックスの現在の位置をリアルタイムに知ることができる。搬送ボックスは、車両によって搬送中の搬送ボックスに加えられた衝撃や車両によって搬送中の搬送ボックスの収容空間の温度、湿度、圧力、光を測定し、温度測定データや湿度測定データ、圧力測定データ、光測定データを測定日時とともに外部受信機に送信することで、搬送過程における搬送ボックスの収容空間の温度や湿度、圧力、光の状態をリアルタイムに知ることができ、搬送ボックスに収容された物品の温度や湿度、圧力、光によるダメージを図り知ることができるとともに、その物品の廃棄や交換、修理等の的確な対策を物品の配送時に知らせることができる。
【図面の簡単な説明】
【００３３】
【図１】一例として示す搬送ボックスの斜視図。
【図２】搬送ボックスに設置されたコントロールケースの一例を示す図。
【図３】搬送システムが形成するネットワークの一例を示す構成図。
【図４】発送元（発送者）のパーソナルコンピュータのディスプレイに表示されたメニュー画面（初期画面）の一例を示す図。
【図５】発送元（発送者）のパーソナルコンピュータのディスプレイに表示された図４から続く発送画面の一例を示す図。
【図６】発送元（発送者）のパーソナルコンピュータのディスプレイに表示された図５から続く発送画面の一例を示す図。
【図７】コントロールケースの表示装置に表示された搬送受付画面の一例を示す図。
【図８】運転者のタブレットのタッチパネルや発送元（発送者）および搬送先（受取者）のパーソナルコンピュータのディスプレイに表示された搬送画面の一例を示す図。
【図９】運転者のタブレットのタッチパネルや発送元（発送者）および搬送先（受取者）のパーソナルコンピュータのディスプレイに表示された図８から続く搬送画面の一例を示す図。
【図１０】運転者のタブレットのタッチパネルや発送元（発送者）および搬送先（受取者）のパーソナルコンピュータのディスプレイに表示された図９から続く搬送画面の一例を示す図。
【図１１】コントロールケースの表示装置に表示された搬送終了確認画面の一例を示す図。
【図１２】発送者のパーソナルコンピュータのディスプレイに表示された搬送ルート確認画面の一例を示す図。
【図１３】発送者のパーソナルコンピュータのディスプレイに表示された衝撃確認画面の一例を示す図。
【図１４】発送者のパーソナルコンピュータのディスプレイに表示された温度確認画面の一例を示す図。
【図１５】発送者のパーソナルコンピュータのディスプレイに表示された湿度確認画面の一例を示す図。
【図１６】発送者のパーソナルコンピュータのディスプレイに表示された圧力確認画面の一例を示す図。
【図１７】発送者のパーソナルコンピュータのディスプレイに表示された光確認画面の一例を示す図。
【発明を実施するための形態】
【００３４】
一例として示す搬送ボックス１０の斜視図である図１等の添付の図面を参照し、本発明に係る搬送ボックスおよび搬送ボックスを利用した搬送システムの詳細を説明すると、以下のとおりである。なお、図２は、搬送ボックス１０に設置されたコントロールケース２１の一例を示す図であり、図３は、搬送システム１１が形成するネットワークの一例を示す構成図である。図１では、ボックス本体１８の収容空間１７に収容される物品の図示を省略している。図１では、縦方向を矢印Ａ、横方向を矢印Ｂで示し、前後方向を矢印Ｃで示す。図３では、２台の運送車両１２（２台のタブレット１３ｂ）（外部受信機１３ｂ）と各１台のパーソナルコンピュータ１３ａ，１３ｃ（外部受信機１３ａ，１３ｃ）を図示しているが、実際には、各種複数台の運送車両１２および各種複数台の外部受信機１３ａ〜１３ｃによって搬送システム１１のネットワークが形成される。
【００３５】
搬送システム１１は、所定の物品を収容してその物品を搬送先１５（受取者）（目的地）に搬送する搬送ボックス１０と、搬送ボックス１０を積載して発送元１４（発送者）（出発地）から搬送先１５（受取者）（目的地）に向かって走行する運送車両１２（車両）と、運送車両１２の運転者が所持する外部受信機１３ｂと、運送事業者や宅配事業者等の物品の発送元１４（発送者）が所持する外部受信機１３ａと、物品の受取人である事業者や個人等の搬送先１５（受取者）が所持する外部受信機１３ｃとから形成され、搬送ボックス１０とそれら外部受信機１３ａ〜１３ｃとがインターネット１６を利用したネットワークを形成している。
【００３６】
搬送ボックス１０は、箱形に成形されて所定容積の収容空間１７を有するボックス本体１８と、ボックス本体１８の頂部開口１９を開閉する蓋２０と、ボックス本体１８の収容空間１７（ボックス本体１８の内部）に設置されたコントロールケース２１とから形成されている。ボックス本体１８は、合成樹脂または金属から作られ、底面プレート２２および前後面プレート２３，２４並びに両側面プレート２５，２６から形成されている。底面プレート２２は、所定面積の略矩形に成形され、前後方向と横方向とへ延びている。前面プレート２３は、所定面積の略矩形に成形され、底面プレート２２の前端縁部に連接されて前端縁部から縦方向へ延びている。後面プレート２３は、所定面積の略矩形に成形され、底面プレート２２の後端縁部に連接されて後端縁部から縦方向へ延びている。両側面プレート２５，２６は、所定面積の略矩形に成形され、底面プレート２２の両側縁部に連接されて両側縁部から縦方向へ延びている。
【００３７】
ボックス本体１８の収容空間１７には、所定の物品が収納される。ボックス本体１８の収容空間１７に収納される物品に特に制限はなく、搬送対象の物品であれば、あらゆる物品が含まれる。ボックス本体１８の収容空間１７には、緩衝材２７が設置されている。緩衝材２７としては、ポリスチレンフォーム（発泡ポリスチレン）やポリウレタンフォーム、ポリエチレンフォーム、ポリプロピレンフォーム等の発泡プラスチックが使用されている。緩衝材２７は、図示の形状に限定されるものではなく、ボックス本体１８に収納される物品によって最適な形状の緩衝材２７がボックス本体１８の収容空間１７に設置される。
【００３８】
蓋２０は、合成樹脂またはアルミやステンレス、ジュラルミン等の金属から作られ、所定面積の略矩形に成形されている。蓋２０は、その側縁部が後面プレート２４の上端縁部に蝶番（図示せず）を介して連結されている。蓋２０は、側縁部を中心に縦方向へ旋回可能であり、縦方向上方へ旋回することでボックス本体１８の頂部開口１９を開放し、縦方向下方へ旋回することでボックス本体１８の頂部開口１９を閉鎖する。蓋２０によってボックス本体１８の頂部開口１９を閉鎖された場合、頂部開口１９の閉鎖状態を保持するため、キー（鍵）（図示せず）によってボックス本体１８と蓋２０とが固定（ロック）される。なお、ボックス本体１８と蓋２０との固定にフックとループとを備えたメカニカルテープファスナーを利用することもでき、ボックス本体１８と蓋２０との固定に締結ベルトを利用することもできる。
【００３９】
なお、搬送ボックス１０は、その収容空間１７の圧力を減圧して収容空間１７を負圧（マイナス圧）にすることができ、その収容空間１７の圧力を加圧して収容空間１７を陽圧（プラス圧）にすることができる。搬送ボックス１０は、その収容空間１７に各種の照明装置（図示せず）を設置し、所定照度の光を照射することができ、所定の波長の紫外線を照射することができる。また、照射する光の照度を調整することができ、照射する紫外線の波長や強さを調整することができる。
【００４０】
コントロールケース２１は、ボックス本体１８の後面パネル２４の内面に所定の固定手段（ナットやビス、メカニカルテープファスナー等）を介して着脱可能に設置されている。なお、コントロールケース２１はボックス本体１８の内部であれば他のパネル２２，２３，２５，２６に設置されていてもよく、蓋２０に設置されていてもよい。
【００４１】
コントロールケース２１には、図２に示すように、中央処理部（ＣＰＵまたはＭＰＵ）とメモリ（メインメモリおよびキャッシュメモリ）とを有して独立したオペレーティングシステム（ＯＳ）によって動作する物理的なコンピュータシステム２８と、大容量の記憶デバイス（大容量ハードディスク等）（図示せず）とが実装されている。
【００４２】
コントロールケース２１のコンピュータシステム２８は、ＵＳＢメモリやフラッシュメモリドライブ等の外部記憶装置を接続可能なＩ／Ｏポート（図示せず）、ＯＮ／ＯＦＦスイッチ（図示せず）、バッテリー（電源）（図示せず）を備えている。コンピュータシステム２１のメモリには、この搬送システム１１を実行するアプリケーションが記憶されている。コンピュータシステム２１の記憶デバイスには、各搬送ボックス１０を特定する搬送ボックス識別子（識別番号）が格納（記憶）され、発送者や運転者、受取者が所持する外部受信機のＵＲＬが格納（記憶）されている。
【００４３】
コンピュータシステム２８は、ＤＮＳサーバ機能、データベースサーバ機能、Ｗｅｂサーバ機能、メールサーバ機能、ドキュメントサーバ機能の各種サーバ機能を有し、インターネット１６に接続された各種複数のＤＮＳサーバ等を経由しつつ、インターネット１６を利用してアクセス制限がない他のあらゆるサーバにアクセスすることができる。コンピュータシステム２８は、後記するＧＰＳモジュール２９や各種センサ３３〜３７から送信された各種データを受信し、各種データを記憶デバイスに記憶（格納）する。
【００４４】
コントロールケース２１の内部には、ＧＰＳモジュール２９、センサモジュール３０、無線モジュール３１、表示装置３２（タッチパネルまたはディスプレイ）が配置されている。ＧＰＳモジュール２９は、コントロールケース２１のコンピュータシステム２８にインターフェイスを介して接続され、衛生測位システムを利用することで運送車両１２によって搬送中の搬送ボックス１０の位置を測定する（割り出す）。ＧＰＳモジュール２９は、測定した搬送ボックス１０の位置をコントロールケース２１のコンピュータシステム２８に送信する。
【００４５】
センサモジュール３０には、衝撃センサ３３、温度センサ３４、湿度センサ３５、圧力センサ３６、光センサ３７が設置されている。それらセンサ３３〜３７は、コントロールケース２１のコンピュータシステム２８にインターフェイスを介して接続されている。衝撃センサ３３は、運送車両１２によって搬送ボックス１０を搬送中に搬送ボックス１０に加えられた衝撃を測定し、測定した衝撃データをコントロールケース２１のコンピュータシステム２８に送信する。温度センサ３４は、運送車両１２によって搬送ボックス１０を搬送中に搬送ボックス１０の収容空間１７の温度を測定し、測定した温度データをコントロールケース２１のコンピュータシステム２８に送信する。温度センサ３４のセンサ部（図示せず）は、コントロールケース２１の外面から外部に向かって露出している。
【００４６】
湿度センサ３５は、運送車両１２によって搬送ボックス１０を搬送中に搬送ボックス１０の収容空間１７の湿度を測定し、測定した湿度データをコントロールケース２１のコンピュータシステム２８に送信する。湿度センサ３５のセンサ部（図示せず）は、コントロールケース２１の外面から外部に向かって露出している。圧力センサ３６は、運送車両１２によって搬送ボックス１０を搬送中に搬送ボックス１０の収容空間１７の圧力を測定し、測定した圧力データをコントロールケース２１のコンピュータシステム２８に送信する。圧力センサ３６のセンサ部（図示せず）は、コントロールケース２１の外面から外部に向かって露出している。光センサ３７は、運送車両１２によって搬送ボックス１０を搬送中に搬送ボックス１０の収容空間１７の光の状態を測定し、測定した光の状態データをコントロールケース２１のコンピュータシステム２８に送信する。光センサ３７のセンサ部（図示せず）は、コントロールケース２１の外面から外部に向かって露出している。光センサ３７には、紫外線センサ、照度センサ、可視光センサ等が使用される。
【００４７】
無線モジュール３１は、広帯域のアンテナ３８を備え、コントロールケース２１のコンピュータシステム２８にインターフェイスを介して接続されている。アンテナ３８は、蓋２０に設置され、無線モジュール３１に接続されている。無線モジュール３１は、インターネット１６を利用して各外部受信機１３ａ〜１３ｃに各種データを送信し、各外部受信機１３ａ〜１３ｃから各種データを受信する。したがって、コントロールケース２１は、各外部受信機１３ａ〜１３ｃに各種データを送信することができ、各外部受信機１３ａ〜１３ｃから各種データを受信することができる。表示装置３２は、コントロールケース２１のコンピュータシステム２８にインターフェイスを介して接続されている。
【００４８】
運送車両１２には、平ボディやバンボディ、ウイングボディ、保冷車、冷凍冷蔵車等のトラックが使用される。運送車両１２の運転者が所持する外部受信機１３ｂとしては、タブレット１３ｂやスマートフォン１３ｂが使用される。発送元１４（発送者）が所持する外部受信機１３ａや搬送先１５（受取者）が所持する外部受信機１３ｃとしては、パーソナルコンピュータ１３ａ，１３ｃ（ノートパソコンやタワー型パソコン等）やタブレット１３ａ，１３ｃ、スマートフォン１３ａ，１３ｃが使用される。パーソナルコンピュータ１３ａ，１３ｃは、発送元１４（発送者）や搬送先１５（受取者）の事業所や事務所等に設置されている。
【００４９】
発送元１４（発送者）が所持する外部受信機１３ａ（パーソナルコンピュータ１３ａ、タブレット１３ａ、スマートフォン１３ａ）の記憶デバイスには、各搬送ボックス１０を特定する搬送ボックス識別子（識別番号）、各運送車両１２を特定する運送車両識別子（識別番号）、各運送車両１２の運転者を特定する運転者識別子（識別番号）、複数の受取者を特定する受取者識別子（識別番号）が格納（記憶）され、各搬送ボックス１０のＵＲＬが搬送ボックス識別子（識別番号）に関連付けられた状態で格納（記憶）されている。
【００５０】
さらに、発送元１４（発送者）が所持する外部受信機１３ｃの記憶デバイスには、各運送車両１２の各種データ（車種やタイプ、走行距離、車検期限等）が運送車両識別子（識別番号）に関連付けられた状態で格納（記憶）され、各搬送先１５（各受取者）の各種データ（名称や名前、住所や居所、メールアドレス、各搬送先１５（各受取者）が所持する外部受信機１３ｂのＵＲＬ、電話番号、携帯電話番号、ＦＡＸ番号等）が受取者識別子（識別番号）に関連付けられた状態で格納（記憶）されているとともに、各運転者の各種データ（名前、勤続年数、免許種別、年齢、性別、携帯電話番号等）が運転者識別子（識別番号）に関連付けられた状態で格納（記憶）されている。
【００５１】
タブレット１３ａ〜１３ｃやスマートフォン１３ａ〜１３ｃは、中央処理部（ＣＰＵまたはＭＰＵ）とメモリ（メインメモリおよびキャッシュメモリ）とを有して独立したオペレーティングシステム（ＯＳ）によって動作する物理的なコンピュータを内蔵し、大容量の記憶デバイス（大容量ハードディスク等）を実装している。タブレット１３ａ〜１３ｃやスマートフォン１３ａ〜１３ｃのメモリには、この搬送システム１１を実行するアプリケーションが記憶されている。タブレット１３ａ〜１３ｃやスマートフォン１３ａ〜１３ｃは、それらのメモリに格納されたウェブブラウザを利用してインターネット１６に接続可能であり、インターネット１６を利用して不特定多数の他のサーバ（物理サーバや仮想サーバ）にアクセスかつログインすることができるとともに、インターネット１６において各種検索エンジンを利用することができる。
【００５２】
パーソナルコンピュータ１３ａ，１３ｃは、中央処理部（ＣＰＵまたはＭＰＵ）と記憶デバイス（メインメモリおよびキャッシュメモリ）とを有して独立したオペレーティングシステム（ＯＳ）によって動作する物理的なコンピュータであり、大容量の記憶デバイス（大容量ハードディスク等）を内蔵している。パーソナルコンピュータ１３ａ，１３ｃのメモリには、この搬送システム１１を実行するアプリケーションが記憶されている。パーソナルコンピュータ１３ａ，１３ｃは、ＤＮＳサーバ機能、データベースサーバ機能、Ｗｅｂサーバ機能、メールサーバ機能、ドキュメントサーバ機能の各種サーバ機能を有し、インターネット１６に接続された各種複数のＤＮＳサーバ等を経由しつつ、インターネット１６を利用してアクセス制限がない他のあらゆるサーバ（物理サーバや仮想サーバ）にアクセスかつログインすることができるとともに、インターネット１６において各種検索エンジンを利用することができる。
【００５３】
図４は、発送元１４（発送者）のパーソナルコンピュータ１３ａ（外部受信機１３ａ）のディスプレイ３９に表示されたメニュー画面（初期画面）の一例を示す図であり、図５は、発送元１４（発送者）のパーソナルコンピュータ１３ａ（外部受信機１３ａ）のディスプレイ３９に表示された図４から続く発送画面の一例を示す図である。図６は、発送元１４（発送者）のパーソナルコンピュータ１３ａ（外部受信機１３ａ）のディスプレイ３９に表示された図５から続く発送画面の一例を示す図であり、図７は、コントロールケース２１の表示装置３２に表示された搬送受付画面の一例を示す図である。図５〜図７では、各入力エリアや各表示エリアに表示される各データの表示を省略している。なお、運送車両１２の運転者や物品の搬送先１５（受取者）は外部受信機１３ｂ，１３ｃとしてタブレット１３ｂ，１３ｃを所持しているものとする。搬送ボックス１０には、搬送される物品が収容され、発送元１４（発送者）の倉庫に置かれている。
【００５４】
搬送ボックス１０を利用して所定の物品を搬送する手順の一例は、以下のとおりである。発送元１４（発送者）は、パーソナルコンピュータ１３ａのディスプレイ３９に表示された搬送アイコンをクリック（タップ）する。搬送アイコンをクリックすると、図４のメニュー画面がパーソナルコンピュータ１３ａのディスプレイ３９に表示される。図４のメニュー画面には、搬送予約ボタン４ａ、搬送ルート表示ボタン４ｂ、搬送条件表示ボタン４ｃ、キャンセルボタン４ｄが表示される。キャンセルボタン４ｄをクリックすると、搬送システム１１からログアウトする（以下のキャンセルボタンも同様）。
【００５５】
次に、搬送予約ボタン４ａをクリックする。搬送予約ボタン４ａをクリックすると、図５に示す発送画面がパーソナルコンピュータ１３ａのディスプレイ３９に表示される。図５の発送画面には、発送元（発送者）住所・名称入力エリア５ａ、搬送先（受取者）住所・名称入力エリア５ｂ、搬送ボックス識別子（識別番号）入力エリア５ｃ、発送物品名入力エリア５ｄ、発送物品番号入力エリア５ｅ、運送車両識別子（識別番号）入力エリア５ｆ、センサ選択エリア５ｇ、決定ボタン５ｈ、クリアボタン５ｉ、戻るボタン５ｊ、キャンセルボタン５ｋが表示される。クリアボタン５ｉをクリックすると、各入力エリア５ａ〜５ｆやセンサ選択エリア５ｇに入力されたデータが削除され、各入力エリア５ａ〜５ｆやセンサ選択エリア５ｇにデータを再度入力する（以下のクリアボタンも同様）。戻るボタン５ｊをクリックすると、１つ前の画面に戻る（以下の戻るボタンも同様）。
【００５６】
センサ選択エリア５ｇには、ＧＰＳ測定、衝撃測定、温度測定、湿度測定、圧力測定、光測定の各測定項目を表示した各測定項目表示エリア５ｌ、チェックボタン５ｍ、許容衝撃値や許容温度値、許容湿度値、許容圧力値、許容光値の各許容値を表示した許容値表示エリア５ｎが表示される。発送元１４（発送者）は、発送元（発送者）住所・名称入力エリア５ａに発送元１４（発送者）の住所および名称を入力し（プルダウンリストから選択可能）、搬送先（受取者）住所・名称入力エリア５ｂに搬送先１５（受取者）の住所および名称を入力するとともに（プルダウンリストから選択可能）、搬送ボックス識別子（識別番号）入力エリア５ｃに搬送ボックス１０の識別子（識別番号）を入力する（プルダウンリストから選択可能）。発送物品名入力エリア５ｂに物品名を入力し（プルダウンリストから選択可能）、発送物品番号入力エリア５ｅに物品番号を入力し（プルダウンリストから選択可能）、運送車両識別子（識別番号）入力エリア５ｆに運送車両１２の識別子（識別番号）を入力する（プルダウンリストから選択可能）。さらに、センサ選択エリア５ｇにおいてＧＰＳ測定、衝撃測定、温度測定、湿度測定、圧力測定、光測定の各測定項目のうちの測定する項目のチェックボタン５ｍにチェックマークを付ける。なお、各許容値を変更するには、許容値表示エリア５ｎの各許容値のプルダウンリストからあらたな許容値を選択し、または、許容値表示エリア５ｎにあらたな許容値を入力する。
【００５７】
センサ選択エリア５ｇにおいてＧＰＳ測定、衝撃測定、温度測定、湿度測定、圧力測定、光測定の全ての測定項目が選択されたものとする。搬送ボックス１０の現在の位置や目的地に到着する時間、出発地から目的地までの移動ルート、目的地に到着するための最適な搬送ルート、目的地に到着するための最適な搬送速度を表示させる場合はＧＰＳ測定を選択する。搬送ボックス１０に収容された物品が衝撃に弱く、搬送中の搬送ボックス１０に加えられた衝撃を管理するには衝撃測定を選択する。
【００５８】
搬送ボックス１０に収容された物品の温度管理が必要であり、搬送中の搬送ボックス１０の収容空間１７の温度を管理するには温度測定を選択する。搬送ボックス１０に収容された物品の湿度管理が必要であり、搬送中の搬送ボックス１０の収容空間１７の湿度を管理するには湿度測定を選択する。搬送ボックス１０に収容された物品の圧力管理が必要であり、搬送中の搬送ボックス１０の収容空間１７の圧力を管理するには圧力測定を選択する。搬送ボックス１０に収容された物品の光の状態管理が必要であり、搬送中の搬送ボックス１０の収容空間１７の光の状態を管理するには光測定を選択する。
【００５９】
搬送ボックス１０およびそれを利用した搬送システム１１は、搬送ボックス１０の収容空間１７に収容された物品の材質や種類、物性、性状等によって管理が必要な最適な測定項目を選択することができ、搬送中の搬送ボックス１０において選択された測定項目を管理することができるとともに、搬送中の搬送ボックス１０における選択された測定項目のログを取ることができる。
【００６０】
各入力エリア５ａ〜５ｆにデータを入力し、センサ選択エリア５ｇの項目を選択した後、決定ボタン５ｈをクリックする。決定ボタン５ｈをクリックすると、図示はしていないが、パーソナルコンピュータ１３ａのディスプレイ３９に確認画面が表示される。確認画面には、発送元（発送者）住所表示エリア、搬送先（受取者）住所表示エリア、搬送ボックス識別子（識別番号）表示エリア、発送物品名表示エリア、発送物品番号表示エリア、運送車両識別子（識別番号）表示エリア、測定項目を表示したセンサ表示エリア、送信ボタン、戻るボタン、キャンセルボタンが表示される。それら表示エリアに表示された各データやセンサ表示エリアに表示された測定項目を確認し、誤りがなければ、送信ボタンをクリックする。
【００６１】
送信ボタンをクリックすると、パーソナルコンピュータ１３ａは、インターネット１６を介して搬送ボックス識別子（識別番号）によって特定された搬送ボックス１０のコンピュータシステム２８に起動信号を送信し、選択された測定項目のセンサ起動信号を搬送ボックス１０のコンピュータシステム２８に送信するとともに、発送元（発送者）住所、搬送先（受取者）住所、搬送ボックス識別子（識別番号）、発送物品名、発送物品番号、運送車両識別子（識別番号）を搬送ボックス１０のコンピュータシステム２８に送信する。あわせて、図６に示す発送画面がパーソナルコンピュータ１３ａのディスプレイ３９に表示される。
【００６２】
なお、各信号や各データのパーソナルコンピュータ１３ａから搬送ボックス１０のコンピュータシステム２８への送信は、無線ＬＡＮによって行うこともできる。また、各信号や各データを外部無線装置(図示せず)に近距離無線通信規格を利用して一時的に格納し、その後、各信号や各データを近距離無線通信規格を利用して外部無線装置からパーソナルコンピュータ１３ａへ送信することもできる。さらに、各信号や各データを外部記憶装置（ＵＳＢメモリ、フラッシュメモリドライブ等）に記憶させ、各信号や各データを記憶した外部記憶装置（ＵＳＢメモリ、フラッシュメモリドライブ等）をＩ／Ｏポートに接続し、各信号や各データを外部記憶装置から搬送ボックス１０のコンピュータシステム２８に入力することもできる。
【００６３】
図６の発送画面には、発送元１４（発送者）の住所および名称を表示した発送元（発送者）住所・名称表示エリア６ａ、搬送先１５（受取者）の住所および名称を表示した搬送先（受取者）住所・名称表示エリア６ｂ、搬送ボックス１０の識別子（識別番号）を表示した搬送ボックス識別子（識別番号）表示エリア６ｃ、発送物品名を表示した発送物品名表示エリア６ｄ、発送物品番号を表示した発送物品番号表示エリア６ｅ、運送車両１２の識別子（識別番号）を表示した運送車両識別子（識別番号）表示エリア６ｆ、測定項目および各許容値を表示したセンサ表示エリア６ｇ、送信完了メッセージ６ｈ、搬送予約ボタン６ｉ、メニュー画面ボタン６ｊ、キャンセルボタン６ｋが表示される。続けて他の物品を搬送する場合、搬送予約ボタン６ｉをクリックし、図５からの手順を繰り返す。メニュー画面ボタン６ｊをクリックすると、図４のメニュー画面がパーソナルコンピュータ１３ａのディスプレイ３９に表示される。
【００６４】
搬送ボックス識別子（識別番号）によって特定された搬送ボックス１０のコンピュータシステム２８は、アンテナ３８を介してパーソナルコンピュータ１３ａから起動信号を受信し、選択された測定項目のセンサ起動信号を受信するとともに、パーソナルコンピュータ１３ａから発送元（発送者）住所、搬送先（受取者）住所、搬送ボックス識別子（識別番号）、発送物品名、発送物品番号、運送車両識別子（識別番号）を受信する。搬送ボックス１０は、コントロールケース２１のＧＰＳモジュール２９、センサモジュール３０、無線モジュール３１を起動させ、発送元（発送者）住所、搬送先（受取者）住所、発送物品名、発送物品番号、運送車両識別子（識別番号）を搬送ボックス識別子（識別番号）に関連付けた状態でコントロールケース２１の記憶デバイスに記憶（格納）する。
【００６５】
コントロールケース２１の表示装置３２には、図７に示す搬送受付画面が表示される。図７の搬送受付画面には、セッティング完了メッセージ７ａ、発送元住所および名称を表示した発送元住所・名称表示エリア７ｂ、搬送先住所および名称を表示した搬送先住所・名称表示エリア７ｃ、搬送ボックス１０の識別子（識別番号）を表示した搬送ボックス識別子（識別番号）表示エリア７ｄ、発送物品名を表示した発送物品名表示エリア７ｅ、発送物品番号を表示した発送物品番号表示エリア７ｆ、運送車両１２の識別子（識別番号）を表示した運送車両識別子（識別番号）表示エリア７ｇ、測定項目および許容値を表示したセンサ表示エリア７ｈ、搬送開始ボタン７ｉ、再セッティングボタン７ｊが表示される。
【００６６】
運送車両１２の運転者は、発送伝票に記載された項目と表示装置３２に表示された各データとを照合し、発送伝票に記載された項目と表示装置３２に表示された各データとが異なる場合、表示装置３２に表示された再セッティングボタン７ｊをタップ（クリック）する。再セッティングボタン７ｊをタップすると、物品の搬送は行われず、コントロールケース２１の表示装置３２からパーソナルコンピュータ１３ａに再セッティングメッセージが送信される。再セッティングメッセージが送信されると、搬送予約手続をはじめからやり直す。
【００６７】
発送伝票に記載された項目と表示装置３２に表示された各データとが同一である場合、表示装置３２に表示された搬送開始ボタン７ｉをタップ（クリック）する。搬送開始ボタン７ｉをタップすると、搬送開始メッセージがコントロールケース２１の表示装置３２に表示される。運送車両１２の運転者は、搬送ボックス１０の収容空間１７に物品が収容されていることを確認し、蓋２０でボックス本体１８の頂部開口１９を閉鎖した後、搬送ボックス１０を運送車両１２に積載する。運転者は、搬送ボックス１０を積載した運送車両１２を運転し、発送元１４（出発地）から搬送先１５（目的地）に向かって運送車両１２を走行させる。
【００６８】
図８は、運転者のタブレット１３ｂ（外部受信機１３）のタッチパネル４０や発送元１４（発送者）および搬送先１５（受取者）のパーソナルコンピュータ１３ａ，１３ｃ（外部受信機１３ａ，１３ｃ）のディスプレイ３９に表示された搬送画面の一例を示す図であり、図９は、運転者のタブレット１３ｂ（外部受信機１３ｂ）のタッチパネル４０や発送元１４（発送者）および搬送先１５（受取者）のパーソナルコンピュータ１３ａ，１３ｃ（外部受信機１３ａ，１３ｃ）のディスプレイ３９に表示された図８から続く搬送画面の一例を示す図である。図１０は、運転者のタブレット１３ｂ（外部受信機１３）のタッチパネル４０や発送元１４（発送者）および搬送先１５（受取者）のパーソナルコンピュータ１３ａ，１３ｃ（外部受信機１３ａ，１３ｃ）のディスプレイ３９に表示された図９から続く搬送画面の一例を示す図であり、図１１は、コントロールケース２１の表示装置３２に表示された搬送終了確認画面の一例を示す図である。
【００６９】
搬送ボックス１０のコンピュータシステム２８は、ＧＰＳモジュール２９を利用し、事前に設定された到着時間に搬送ボックス１０が発送元１４（出発地）から搬送先１５（目的地）に到着するための最適な搬送ルートを割り出す（搬送ルート割出手段）。搬送ボックスのコンピュータシステム２８は、ＧＰＳモジュール２９を利用し、発送元１４（出発地）から搬送先１５（目的地）までの距離と事前に設定された到着時間とから、事前に設定された到着時間に搬送ボックス１０が発送元１４（出発地）から搬送先１５（目的地）に到着するための最適な搬送速度を算出する（搬送速度算出手段）。
【００７０】
搬送ボックス１０のコンピュータシステム２８は、搬送ルート割出手段によって割り出した搬送ルートデータを搬送ボックス識別子（識別番号）に関連付けた状態で記憶デバイスに記憶し（搬送ルートデータ記憶手段）、搬送速度算出手段によって算出した搬送速度データを搬送ボックス識別子（識別番号）に関連付けた状態で記憶デバイスに記憶する（搬送速度データ記憶手段）。搬送ボックス１０のコンピュータシステム２８は、無線モジュール３１を利用してインターネット１６に接続し、タブレット１３ｂ（外部受信機１３ｂ）やパーソナルコンピュータ１３ａ，１３ｃ（外部受信機１３ａ，１３ｃ）のＵＲＬを利用してタブレット１３ｂやパーソナルコンピュータ１３ａ，１３ｃにアクセスかつログインし、搬送ルート割出手段によって割り出した搬送ルートデータと搬送速度算出手段によって算出した搬送速度データとをタブレット１３ｂやパーソナルコンピュータ１３ａ，１３ｃに送信する（搬送ルートデータ送信手段、搬送速度データ送信手段）。
【００７１】
衝撃センサ３３は、搬送中の搬送ボックス１０に加えられる衝撃の測定を開始し、測定した衝撃データをコントロールケース２１のコンピュータシステム２８に送信する。衝撃センサ３３は、連続的または所定の時間間隔（たとえば、５分間隔や１０分間隔、３０分間隔等）で衝撃を測定する。温度センサ３４は、搬送ボックス１０の収容空間１７の温度測定を開始し、測定した温度データをコントロールケース２１のコンピュータシステム２８に送信する。温度センサ３４は、連続的または所定の時間間隔（たとえば、５分間隔や１０分間隔、３０分間隔等）で温度を測定する。
【００７２】
湿度センサ３５は、搬送ボックス１０の収容空間１７の湿度測定を開始し、測定した湿度データをコントロールケース２１のコンピュータシステム２８に送信する。湿度センサ３５は、連続的または所定の時間間隔（たとえば、５分間隔や１０分間隔、３０分間隔等）で湿度を測定する。圧力センサ３６は、搬送ボックス１０の収容空間１７の圧力測定を開始し、測定した圧力データをコントロールケース２１のコンピュータシステム２８に送信する。圧力センサ３６は、連続的または所定の時間間隔（たとえば、５分間隔や１０分間隔、３０分間隔等）で圧力を測定する。光センサ３７は、搬送ボックス１０の収容空間１７の光の状態の測定を開始し、測定した光の状態データをコントロールケース２１のコンピュータシステム２８に送信する。光センサ３７は、連続的または所定の時間間隔（たとえば、５分間隔や１０分間隔、３０分間隔等）で光の状態（照度や紫外線）を測定する。
【００７３】
運送車両１２の運転者のタブレット１３ｂのタッチパネル４０や発送元１４（発送者）および搬送先１５（受取者）のパーソナルコンピュータ１３ａ，１３ｃのディスプレイ３９には、図８に示す搬送画面が表示される。図８の搬送画面には、搬送ルート表示エリア８ａ、搬送速度表示エリア８ｂ、走行距離表示エリア８ｃ、衝撃表示エリア８ｄ、温度表示エリア８ｅ、湿度表示エリア８ｆ、圧力表示エリア８ｇ、光表示エリア８ｈ、メニュー画面ボタン８ｉ（発送元１４（発送者）のパーソナルコンピュータ１３ａ（外部受信機１３ａ）のみに表示）、キャンセルボタン８ｊが表示される。搬送ルート表示エリア８ａには、発送元１４（出発地）から搬送先１５（目的地）までの最適な搬送ルートが表示される。
【００７４】
発送者や受取者、運転者は、搬送ルート表示エリア８ａを見ることによって発送元１４（出発地）から搬送先１５（目的地）までの最適な搬送ルートを知ることができる。搬送ボックス１０は、事前に設定された到着時間に搬送ボックス１０が目的地に到着するための最適な搬送ルートを割り出し、割り出した搬送ルートデータをタブレット１３ｂやパーソナルコンピュータ１３ａ，１３ｃに送信することで、搬送ボックス１０の目的地への最適な搬送ルートを外部に知らせることができ、タブレット１３ｂやパーソナルコンピュータ１３ａ，１３ｃを介して搬送ボックス１０の目的地への最適な搬送ルートを知ることができる。
【００７５】
搬送速度表示エリア８ｂには、発送元１４（出発地）から搬送先１５（目的地）に到着するための最適な搬送速度が表示される。発送者や受取者、運転者は、搬送速度表示エリア８ｂを見ることによって発送元１４（出発地）から搬送先１５（目的地）に到着するための最適な搬送速度を知ることができる。搬送ボックス１０は、事前に設定された到着時間に搬送ボックス１０が目的地に到着するための最適な搬送速度を算出し、算出した搬送速度データをタブレット１３ｂやパーソナルコンピュータ１３ａ，１３ｃに送信することで、搬送ボックス１０の目的地への最適な搬送速度を外部に知らせることができ、タブレット１３ｂやパーソナルコンピュータ１３ａ，１３ｃを介して搬送ボックス１０の目的地への最適な搬送速度を知ることができる。
【００７６】
衝撃表示エリア８ｄには、衝撃センサ３３によって測定された衝撃測定値、許容衝撃値、衝撃異常メッセージと異常衝撃値と衝撃測定日時とを表示する衝撃異常データ表示エリアが表示される。温度表示エリア８ｅには、温度センサ３４によって測定された温度測定値、許容温度値、温度異常メッセージと異常温度値と温度測定日時とを表示する温度異常データ表示エリアが表示される。湿度表示エリア８ｆには、湿度センサ３５によって測定された湿度測定値、許容湿度値、湿度異常メッセージと異常湿度値と湿度測定日時とを表示する湿度異常データ表示エリアが表示される。圧力表示エリア８ｇには、圧力センサ３６によって測定された圧力測定値、許容圧力値、圧力異常メッセージと異常圧力値と圧力測定日時とを表示する圧力異常データ表示エリアが表示される。光表示エリア８ｈには、光センサ３７によって測定された光測定値、許容光値、光異常メッセージと異常光値と光測定日時とを表示する光異常データ表示エリアが表示される。
【００７７】
運転者は、運送車両１２を発送元１４（出発地）から搬送先１５（目的地）に向かって走行させる。運送車両１２を発送元１４（出発地）から搬送先１５（目的地）に向かって走行させると、搬送ボックス１０のコンピュータシステム２８は、ＧＰＳモジュール２９を利用し、発送元１４（出発地）から搬送先１５（目的地）に向かって搬送中の搬送ボックス１０の位置（現在位置）を測定する（位置測定手段）。搬送ボックス１０のコンピュータシステム２８は、位置測定手段によって測定した搬送ボックス１０の出発地から目的地までの各位置データ（位置測定日時を含む）を搬送ボックス識別子（識別番号）に関連付けた状態で記憶デバイスに記憶する（位置データ記憶手段）。さらに、搬送ボックス１０のコンピュータシステム２８は、無線モジュール３１を利用し、位置測定手段によって測定した搬送ボックス１０の現在の位置データをインターネット１６を介して運転者のタブレット１３ｂ（外部受信機１３ｂ）や発送者および受取者のパーソナルコンピュータ１３ａ，１３ｃ（外部受信機１３ａ，１３ｃ）に送信する（位置データ送信手段）。
【００７８】
搬送ボックス１０のコンピュータシステム２８は、ＧＰＳモジュール２９によって測定された搬送ボックス１０の現在の位置と搬送ボックス１０の搬送速度と目的地までの距離とから搬送ボックス１０が目的地に到着する時間を算出する（到着時間算出手段）。搬送ボックス１０のコンピュータシステム２８は、無線モジュール３１を利用し、到着時間算出手段によって算出した到着時間データをインターネット１６を介して運転者のタブレット１３ｂ（外部受信機１３ｂ）や発送者および受取者のパーソナルコンピュータ１３ａ，１３ｃ（外部受信機１３ａ，１３ｃ）に送信する（到着時間データ送信手段）。
【００７９】
搬送ボックス１０のコンピュータシステム２８は、衝撃センサ３３を利用し、運送車両１２によって搬送ボックス１０を発送元１４（出発地）から搬送先１５（目的地）に向かって搬送中に搬送ボックス１０に加えられた衝撃を測定し（衝撃測定手段）、衝撃センサ３３によって測定された衝撃測定データ（衝撃測定日時を含む）を搬送ボックス識別子（識別番号）に関連付けた状態で記憶デバイスに記憶する（衝撃測定データ記憶手段）。搬送ボックス１０のコンピュータシステム２８は、無線モジュール３１を利用し、衝撃センサ３３によって測定された衝撃測定データ（衝撃測定日時を含む）をインターネット１６を介して運転者のタブレット１３ｂ（外部受信機１３ｂ）や発送者および受取者のパーソナルコンピュータ１３ａ，１３ｃ（外部受信機１３ａ，１３ｃ）に送信する（衝撃測定データ送信手段）。
【００８０】
搬送ボックス１０のコンピュータシステム２８は、衝撃センサ３３によって測定された衝撃測定値が事前に設定された許容衝撃値を超えた場合、無線モジュール３１を利用し、衝撃異常を示す衝撃異常データをインターネット１６を介して運転者のタブレット１３ｂ（外部受信機１３ｂ）や発送者および受取者のパーソナルコンピュータ１３ａ，１３ｃ（外部受信機１３ａ，１３ｃ）に送信する（衝撃異常データ送信手段）。搬送ボックス１０のコンピュータシステム２８は、衝撃異常データ（衝撃測定日時を含む）を搬送ボックス識別子（識別番号）に関連付けた状態で記憶デバイスに記憶する（衝撃異常データ記憶手段）。
【００８１】
搬送ボックス１０のコンピュータシステム２８は、温度センサ３４を利用し、運送車両１２によって搬送ボックス１０を発送元１４（出発地）から搬送先１５（目的地）に向かって搬送中に搬送ボックス１０の収容空間１７の温度を測定し（温度測定手段）、温度センサ３４によって測定された温度測定データ（温度測定日時を含む）を搬送ボックス識別子（識別番号）に関連付けた状態で記憶デバイスに記憶する（温度測定データ記憶手段）。搬送ボックス１０のコンピュータシステム２８は、無線モジュール３１を利用し、温度センサ３４によって測定された温度測定データ（温度測定日時を含む）をインターネット１６を介して運転者のタブレット１３ｂ（外部受信機１３ｂ）や発送者および受取者のパーソナルコンピュータ１３ａ，１３ｃ（外部受信機１３ａ，１３ｃ）に送信する（温度測定データ送信手段）。
【００８２】
搬送ボックス１０のコンピュータシステム２８は、温度センサ３４によって測定された温度測定値が事前に設定された許容温度値を超えた場合、または、温度測定値が許容温度値未満になった場合、無線モジュール３１を利用し、温度異常を示す温度異常データをインターネット１６を介して運転者のタブレット１３ｂ（外部受信機１３ｂ）や発送者および受取者のパーソナルコンピュータ１３ａ，１３ｃ（外部受信機１３ａ，１３ｃ）に送信する（温度異常データ送信手段）。搬送ボックス１０のコンピュータシステム２８は、温度異常データ（温度測定日時を含む）を搬送ボックス識別子（識別番号）に関連付けた状態で記憶デバイスに記憶する（温度異常データ記憶手段）。
【００８３】
搬送ボックス１０のコンピュータシステム２８は、湿度センサ３５を利用し、運送車両１２によって搬送ボックス１０を発送元１４（出発地）から搬送先１５（目的地）に向かって搬送中に搬送ボックス１０の収容空間１７の湿度を測定し（湿度測定手段）、湿度センサ３５によって測定された湿度測定データ（湿度測定日時を含む）を搬送ボックス識別子（識別番号）に関連付けた状態でに記憶デバイスに記憶する（湿度測定データ記憶手段）。搬送ボックス１０のコンピュータシステム２８は、無線モジュール３１を利用し、湿度センサ３５によって測定された湿度測定データ（湿度測定日時を含む）をインターネット１６を介して運転者のタブレット１３ｂ（外部受信機１３ｂ）や発送者および受取者のパーソナルコンピュータ１３ａ，１３ｃ（外部受信機１３ａ，１３ｃ）に送信する（湿度測定データ送信手段）。
【００８４】
搬送ボックス１０のコンピュータシステム２８は、湿度センサ３５によって測定された湿度測定値が事前に設定された許容湿度値を超えた場合、または、湿度測定値が許容湿度値未満になった場合、無線モジュール３１を利用し、湿度異常を示す湿度異常データをインターネット１６を介して運転者のタブレット１３ｂ（外部受信機１３ｂ）や発送者および受取者のパーソナルコンピュータ１３ａ，１３ｃ（外部受信機１３ａ，１３ｃ）に送信する（湿度異常データ送信手段）。搬送ボックス１０のコンピュータシステム２８は、湿度異常データ（湿度測定日時を含む）を搬送ボックス識別子（識別番号）に関連付けた状態で記憶デバイスに記憶する（湿度異常データ記憶手段）。
【００８５】
搬送ボックス１０のコンピュータシステム２８は、圧力センサ３６を利用し、運送車両１２によって搬送ボックス１０を発送元１４（出発地）から搬送先１５（目的地）に向かって搬送中に搬送ボックス１０の収容空間１７の圧力を測定し（圧力測定手段）、圧力センサ３６によって測定された圧力測定データ（圧力測定日時を含む）を搬送ボックス識別子（識別番号）に関連付けた状態で記憶デバイスに記憶する（圧力測定データ記憶手段）。搬送ボックス１０のコンピュータシステム２８は、無線モジュール３１を利用し、圧力センサ３６によって測定された圧力測定データ（圧力測定日時を含む）をインターネット１６を介して運転者のタブレット１３ｂ（外部受信機１３ｂ）や発送者および受取者のパーソナルコンピュータ１３ａ，１３ｃ（外部受信機１３ａ，１３ｃ）に送信する（圧力測定データ送信手段）。
【００８６】
搬送ボックス１０のコンピュータシステム２８は、圧力センサ３６によって測定された圧力測定値が事前に設定された許容圧力値を超えた場合、または、圧力測定値が許容圧力値未満になった場合、無線モジュール３１を利用し、圧力異常を示す圧力異常データをインターネット１６を介して運転者のタブレット１３ｂ（外部受信機１３ｂ）や発送者および受取者のパーソナルコンピュータ１３ａ，１３ｃ（外部受信機１３ａ，１３ｃ）に送信する（圧力異常データ送信手段）。搬送ボックス１０のコンピュータシステム２８は、圧力異常データ（圧力測定日時を含む）を搬送ボックス識別子（識別番号）に関連付けた状態で記憶デバイスに記憶する（圧力異常データ記憶手段）。
【００８７】
搬送ボックス１０のコンピュータシステム２８は、光センサ３７を利用し、運送車両１２によって搬送ボックス１０を発送元１４（出発地）から搬送先１５（目的地）に向かって搬送中に搬送ボックス１０の収容空間１７の光の状態を測定し（光測定手段）、光センサ３７によって測定された光測定データ（光測定日時を含む）を搬送ボックス識別子（識別番号）に関連付けた状態で記憶デバイスに記憶する（光測定データ記憶手段）。搬送ボックス１０のコンピュータシステム２８は、無線モジュール３１を利用し、光センサ３７によって測定された光測定データ（光測定日時を含む）をインターネット１６を介して運転者のタブレット１３ｂ（外部受信機１３ｂ）や発送者および受取者のパーソナルコンピュータ１３ａ，１３ｃ（外部受信機１３ａ，１３ｃ）に送信する（光測定データ送信手段）。
【００８８】
搬送ボックス１０のコンピュータシステム２８は、光センサ３７によって測定された光測定値が事前に設定された許容光値を超えた場合、または、光測定値が許容光値未満になった場合、無線モジュール３１を利用し、光異常を示す光異常データをインターネット１６を介して運転者のタブレット１３ｂ（外部受信機１３ｂ）や発送者および受取者のパーソナルコンピュータ１３ａ，１３ｃ（外部受信機１３ａ，１３ｃ）に送信する（光異常データ送信手段）。搬送ボックス１０のコンピュータシステム２８は、光異常データ（光測定日時を含む）を搬送ボックス識別子（識別番号）に関連付けた状態で記憶デバイスに記憶する（光異常データ記憶手段）。
【００８９】
運送車両１２が搬送先１５（目的地）に向かって走行すると、運転者のタブレット１３ｂのタッチパネル４０や発送者および受取者のパーソナルコンピュータ１３ａ，１３ｃのディスプレイ３９には、図９に示す搬送画面が表示される。図９の搬送画面には、最適な搬送ルートおよび現在位置が表示された搬送ルート・現在位置表示エリア９ａ、最適な搬送速度が表示された搬送速度表示エリア９ｂ、目的地までの走行距離が表示された走行距離表示エリア９ｃ、目的地までの到着時間が表示された到着時間表示エリア９ｄ、衝撃測定値や許容衝撃値、衝撃異常データ表示エリアが表示された衝撃表示エリア９ｅ、温度測定値や許容温度値、温度異常データ表示エリアが表示された温度表示エリア９ｆ、湿度測定値や許容湿度値、湿度異常データ表示エリアが表示された湿度表示エリア９ｇ、圧力測定値や許容圧力値、圧力異常データ表示エリアが表示された圧力表示エリア９ｈ、光測定値や許容光値、光異常データ表示エリアが表示された光表示エリア９ｉ、メニュー画面ボタン９ｊ（発送元１４（発送者）のパーソナルコンピュータ１３ａ（外部受信機１３ａ）のみに表示）、キャンセルボタン９ｋが表示される。
【００９０】
搬送ルート・現在位置表示エリア９ａには、ＧＰＳモジュール２９（位置測定手段）によって測定された搬送ボックス１０の現在の位置と現在位置住所と位置測定日時（現在位置日時）とがリアルタイムに表示される。発送者や受取者、運転者は、搬送ルート・現在位置表示エリア９ａに表示された現在位置を見ることによって搬送ボックス１０の現在の位置を知ることができる。搬送ボックス１０は、測定した搬送ボックス１０の現在の位置データを無線モジュール３１を利用して運転者のタブレット１３ｂ（外部受信機１３ｂ）や発送者および受取者のパーソナルコンピュータ１３ａ，１３ｃ（外部受信機１３ａ，１３ｃ）に送信するから、搬送ボックス１０の現在の位置を外部に知らせることができ、運転者のタブレット１３ｂ（外部受信機１３ｂ）や発送者および受取者のパーソナルコンピュータ１３ａ，１３ｃ（外部受信機１３ａ，１３ｃ）を介して搬送ボックス１０の現在の位置をリアルタイムに知ることができる。
【００９１】
到着時間表示エリア９ｄには、搬送ボックス１０の目的地への到着時間（到着予定時間）が表示される。搬送ボックス１０は、搬送ボックス１０の目的地への到着時間を算出し、算出した到着時間データを無線モジュール３１を利用して運転者のタブレット１３ｂ（外部受信機１３ｂ）や発送者および受取者のパーソナルコンピュータ１３ａ，１３ｃ（外部受信機１３ａ，１３ｃ）に送信することで、搬送ボックス１０の目的地への到着時間を外部に知らせることができ、運転者のタブレット１３ｂ（外部受信機１３ｂ）や発送者および受取者のパーソナルコンピュータ１３ａ，１３ｃ（外部受信機１３ａ，１３ｃ）を介して搬送ボックス１０の目的地への到着時間をリアルタイムに知ることができる。
【００９２】
発送者や受取者、運転者は、衝撃表示エリア９ｅに表示された衝撃測定値を見ることで、搬送ボックス１０に加えられた衝撃の大小を知ることができ、運転者は、搬送ボックス１０の衝撃を緩和する等の的確な対策を取ることができる。図９の搬送画面の衝撃表示エリア９ｅの衝撃異常データ表示エリアには、衝撃異常データは表示されていない。発送者や受取者、運転者は、温度表示エリア９ｆに表示された温度測定値を見ることで、搬送ボックス１０の収容空間１７の温度の高低を知ることができ、運転者は、搬送中の搬送ボックス１０の温度を最適なそれらに再調整する等の的確な対策を取ることができる。図９の搬送画面の温度表示エリア９ｆの温度異常データ表示エリアには、温度異常データは表示されていない。発送者や受取者、運転者は、湿度表示エリア９ｇに表示された湿度測定値を見ることで、搬送ボックス１０の収容空間１７の湿度の高低を知ることができ、運転者は、搬送中の搬送ボックス１０の湿度を最適なそれらに再調整する等の的確な対策を取ることができる。図９の搬送画面の湿度表示エリア９ｇの湿度異常データ表示エリアには、湿度異常データは表示されていない。
【００９３】
発送者や受取者、運転者は、圧力表示エリア９ｈに表示された圧力測定値を見ることで、搬送ボックス１０の収容空間１７の圧力の高低を知ることができ、運転者は、搬送中の搬送ボックス１０の圧力を最適なそれらに再調整する等の的確な対策を取ることができる。図９の搬送画面の圧力表示エリア９ｈの圧力異常データ表示エリアには、圧力異常データは表示されていない。発送者や受取者、運転者は、光表示エリア９ｉに表示された光測定値を見ることで、搬送ボックス１０の収容空間１７の光の状態の良否を知ることができ、運転者は、搬送中の搬送ボックス１０の光の状態を最適なそれらに再調整する等の的確な対策を取ることができる。図９の搬送画面の光表示エリア９ｉの光異常データ表示エリアには、光異常データは表示されていない。
【００９４】
運送車両１２が搬送先１５（目的地）に向かって走行し、図９の地点よりも先に進むと、運転者のタブレット１３ｂのタッチパネル４０や発送者および受取者のパーソナルコンピュータ１３ａ，１３ｃのディスプレイ３９には、図１０に示す搬送画面が表示される。図１０の搬送画面には、図９と同様に、搬送ルート・現在位置表示エリア１０ａ、搬送速度表示エリア１０ｂ、走行距離表示エリア１０ｃ、到着時間表示エリア１０ｄ、衝撃表示エリア１０ｅ、温度表示エリア１０ｆ、湿度表示エリア１０ｇ、圧力表示エリア１０ｈ、光表示エリア１０ｉ、メニュー画面ボタン１０ｊ（発送元１４（発送者）のパーソナルコンピュータ１３ａ（外部受信機１３ａ）のみに表示）、キャンセルボタン１０ｋが表示される。
【００９５】
図１０に示すように、搬送画面の衝撃表示エリア１０ｅの衝撃異常データ表示エリアに衝撃異常データが表示されている場合、発送者や受取者、運転者は、衝撃表示エリア１０ｅに表示された衝撃異常データ表示エリアを見ることで、搬送ボックス１０に許容衝撃値以上の衝撃が加えられたことを知ることができ、搬送ボックス１０に収容された物品の衝撃によるダメージを図り知ることができるとともに、発送者や運転者は、その物品の廃棄や交換、修理等の的確な対策を物品の配送時に知らせることができる。
【００９６】
温度表示エリア１０ｆの温度異常データ表示エリアに温度異常データが表示されている場合、発送者や受取者、運転者は、温度表示エリア１０ｆに表示された温度異常データ表示エリアを見ることで、搬送ボックス１０の収容空間１７の温度が許容温度値を超えまたは許容温度値未満になったことを知ることができ、運転者は、搬送ボックス１０の収容空間１７の温度が許容温度値を超えた場合、運送車両１２のエアコンの設定温度を下げる等の対策を取ることができ、搬送ボックス１０の収容空間１７の温度が許容温度値未満になった場合、運送車両１２のエアコンの設定温度を上げる等の対策を取ることができる。また、発送者や受取者、運転者は、搬送ボックス１０に収容された物品の温度によるダメージを図り知ることができ、発送者や運転者は、その物品の廃棄や交換、修理等の的確な対策を物品の配送時に知らせることができる。
【００９７】
湿度表示エリア１０ｇの湿度異常データ表示エリアに湿度異常データが表示されている場合、発送者や受取者、運転者は、湿度表示エリアに表示された湿度異常データ表示エリアを見ることで、搬送ボックス１０の収容空間１７の湿度が許容湿度値を超えまたは許容湿度値未満になったことを知ることができ、運転者は、搬送ボックス１０の収容空間１７の湿度が許容湿度値を超えた場合、運送車両１２のエアコンをＯＮにして除湿する等の対策を取ることができ、搬送ボックス１０の収容空間１７の湿度が許容湿度値未満になった場合、運送車両１２の加湿装置をＯＮにして加湿する等の対策を取ることができる。また、発送者や受取者、運転者は、搬送ボックス１０に収容された物品の湿度によるダメージを図り知ることができ、発送者や運転者は、その物品の廃棄や交換、修理等の的確な対策を物品の配送時に知らせることができる。
【００９８】
圧力表示エリア１０ｈの圧力異常データ表示エリアに圧力異常データが表示されている場合、発送者や受取者、運転者は、圧力表示エリアに表示された圧力異常データ表示エリアを見ることで、搬送ボックス１０の収容空間１７の圧力が許容圧力値を超えまたは許容圧力値未満になったことを知ることができ、運転者は、搬送ボックス１０の収容空間１７の圧力が許容圧力値を超えた場合、搬送ボックス１０の収容空間１７を減圧する等の対策を取ることができ、搬送ボックス１０の収容空間１７の圧力が許容圧力値未満になった場合、搬送ボックス１０の収容空間１７を加圧する等の対策を取ることができる。また、発送者や受取者、運転者は、搬送ボックス１０に収容された物品の圧力によるダメージを図り知ることができ、発送者や運転者は、その物品の廃棄や交換、修理等の的確な対策を物品の配送時に知らせることができる。
【００９９】
光表示エリア１０ｉの光異常データ表示エリアに光異常データが表示されている場合、発送者や受取者、運転者は、光表示エリアに表示された光異常データ表示エリアを見ることで、搬送ボックス１０の収容空間１７の光の状態が許容光値を超えまたは許容光値未満になったことを知ることができ、運転者は、搬送ボックス１０の収容空間１７の光が許容光値を超えた場合、搬送ボックス１０の収容空間１７に照射する光の照度や紫外線を弱くする等の対策を取ることができ、搬送ボックス１０の収容空間１７の光が許容光値未満になった場合、搬送ボックス１０の収容空間１７に照射する光の照度や紫外線を強くする等の対策を取ることができる。また、発送者や受取者、運転者は、搬送ボックス１０に収容された物品の光の状態によるダメージを図り知ることができ、発送者や運転者は、その物品の廃棄や交換、修理等の的確な対策を物品の配送時に知らせることができる。
【０１００】
運送車両１２が搬送先１５（目的地）に到着すると、搬送ボックス１０のコンピュータシステム２８は、コントロールケース２１の表示装置３２に図１１に示す搬送終了確認画面を表示する。図１１の搬送終了確認画面には、搬送終了メッセージ１１ａ、発送元（発送者）住所および名称を表示した発送元住所・名称表示エリア１１ｂ、搬送先（受取者）住所および名称を表示した搬送先住所・名称表示エリア１１ｃ、搬送ボックス１０の識別子（識別番号）を表示した搬送ボックス識別子（識別番号）表示エリア１１ｄ、発送物品名を表示した発送物品名表示エリア１１ｅ、発送物品番号を表示した発送物品番号表示エリア１１ｆ、運送車両の識別子（識別番号）を表示した運送車両識別子（識別番号）表示エリア１１ｇ、搬送先１５に到着した時間を表示した到着時間表示エリア１１ｈ、発送元１４から搬送先１５までの走行距離を表示した走行距離表示エリア１１ｉ、測定項目を表示したセンサ表示エリア１１ｊ、搬送終了確認ボタン１１ｋが表示される。
【０１０１】
搬送ボックス１０のコンピュータシステム２８は、記憶デバイスに記憶した各位置データを利用して搬送ボックス１０が辿った発送元１４（出発地）から搬送先１５（目的地）までの移動ルートを割り出す（移動ルート割出手段）。搬送ボックス１０のコンピュータシステム２８は、移動ルート割出手段によって割り出した移動ルートデータ（位置測定日時を含む）を搬送ボックス１０の搬送ボックス識別子（識別番号）に関連付けた状態で記憶デバイスに格納（記憶）する（移動ルートデータ記憶手段）。
【０１０２】
搬送ボックス１０の収容空間１７に収容された物品を受取者に渡した後、搬送終了確認ボタン１１ｋをタップし、蓋２０によって搬送ボックス１０の頂部開口１９を閉鎖する。搬送終了確認ボタン１１ｋをタップすると、搬送ボックス１０のコンピュータシステム２８は、ＧＰＳモジュール２９、センサモジュール３０、無線モジュール３１をＯＦＦにする。運転者は、搬送ボックス１０を運送車両１２に積載し、発送元１４（目的地）に帰る。
【０１０３】
搬送ボックス１０のコンピュータシステム２８の記憶デバイスには、発送元１４の住所、搬送先１５の住所、発送物品名、発送物品番号、運送車両識別子（識別番号）、測定項目、走行距離、到着時間の各データが搬送ボックス識別子（識別番号）に関連付けられた状態で記憶（格納）され、搬送ルート割出手段によって割り出した搬送ルートデータ、搬送速度算出手段によって算出した搬送速度データが搬送ボックス識別子（識別番号）に関連付けられた状態で格納（記憶）されている。
【０１０４】
搬送ボックス１０のコンピュータシステム２８の記憶デバイスには、位置測定手段によって測定した搬送ボックス１０の発送元１４（出発地）から搬送先１５（目的地）までの各位置データ（位置測定日時を含む）、衝撃センサ３３によって測定された衝撃測定データや衝撃異常データ（衝撃測定日時を含む）、温度センサ３４によって測定された温度測定データや温度異常データ（温度測定日時を含む）、湿度センサ３５によって測定された湿度測定データや湿度異常データ（湿度測定日時を含む）、圧力センサ３６によって測定された圧力測定データや圧力異常データ（圧力測定日時を含む）、光センサ３７によって測定された光測定データや光異常データ（光測定日時を含む）が搬送ボックス識別子（識別番号）に関連付けられた状態で格納（記憶）されている。
【０１０５】
発送元１４（出発地）に帰った後、搬送ボックス１０のコンピュータシステム２８のＯＮ／ＯＦＦスイッチをＯＮにする。ＯＮ／ＯＦＦスイッチをＯＮにすると、データ送信ボタンがコントロールケース２１の表示装置３２に表示される。データ送信ボタンをタップすると、搬送ボックス１０のコンピュータシステム２８の記憶デバイスに格納された各データ（発送元（発送者）住所、搬送先（受取者）住所、搬送ボックス識別子（識別番号）、発送物品名、発送物品番号、運送車両識別子（識別番号））が発送元１４（発送者）のパーソナルコンピュータ１３ａにインターネット１６を介して送信される。なお、移動ルート割出手段によって割り出した移動ルートデータが位置測定日時とともにパーソナルコンピュータ１３ａにインターネット１６を介して送信される（移動ルートデータ送信手段）。発送元１４（発送者）のパーソナルコンピュータ１３ａは、搬送ボックス１０から受信した各データを搬送ボックス識別子（識別番号）に関連付けた状態で記憶デバイスに格納（記憶）する。
【０１０６】
なお、各データの搬送ボックス１０からパーソナルコンピュータ１３ａへの送信は、無線ＬＡＮによって行うこともできる。また、各データを外部無線装置(図示せず)に近距離無線通信規格を利用して一時的に格納し、その後、各データを近距離無線通信規格を利用して外部無線装置からパーソナルコンピュータ１３ａへ送信することもできる。さらに、各データを外部記憶装置（ＵＳＢメモリ、フラッシュメモリドライブ等）に記憶させ、各データを記憶した外部記憶装置（ＵＳＢメモリ、フラッシュメモリドライブ等）をＩ／Ｏポートに接続し、各データを外部記憶装置からパーソナルコンピュータ１３ａへ転送することもできる。
【０１０７】
図１２は、発送者のパーソナルコンピュータ１３ａ（外部受信機１３ａ）のディスプレイ３９に表示された搬送ルート確認画面の一例を示す図である。物品を搬送した搬送ボックス１０が辿った搬送ルートを確認するには、図４のメニュー画面の搬送ルート表示ボタン４ｂをクリックする。搬送ルート表示ボタン４ｂをクリックすると、図示はしていないが、搬送ボックス選択画面がパーソナルコンピュータ１３ａのディスプレイ３９に表示される。搬送ボックス選択画面には、搬送ボックス識別子（識別番号）入力エリア、発送日入力エリア、発送物品名入力エリア、発送物品番号入力エリア、運送車両識別子（識別番号）入力エリア、決定ボタン、クリアボタン、戻るボタン、キャンセルボタンが表示される。
【０１０８】
各入力エリアに各データを入力した後、決定ボタンをクリックする。決定ボタンをクリックすると、図１２に示す搬送ルート確認画面がパーソナルコンピュータ１３ａのディスプレイ３９に表示される。図１２の搬送ルート確認画面には、搬送ルート表示エリア１２ａ、最適搬送ルート表示エリア１２ｂ、搬送速度表示エリア１２ｃ、最適搬送速度表示エリア１２ｄ、出発時間表示エリア１２ｅ、到着時間表示エリア１２ｆ、走行距離表示エリア１２ｇ、搬送ボックス識別子（識別番号）表示エリア１２ｈ、発送物品名表示エリア１２ｉ、発送物品番号表示エリア１２ｊ、運送車両識別子（識別番号）表示エリア１２ｋ、印刷ボタン１２ｌ、メニュー画面ボタン１２ｍ、キャンセルボタン１２ｎが表示される。印刷ボタン１２ｌをクリックすると、搬送ルートと最適搬送ルートとが印刷される。
【０１０９】
なお、パーソナルコンピュータ１３ａは、搬送ボックス１０のコンピュータシステム２８から送信された各位置データを利用して搬送ボックス１０が辿った発送元１４（出発地）から搬送先１５（目的地）までの移動ルートを割り出すことができ（移動ルート割出手段）、移動ルート割出手段によって割り出した移動ルートデータ（位置測定日時を含む）を搬送ボックス識別子（識別番号）に関連付けた状態で記憶デバイスに記憶することができる（移動ルートデータ記憶手段）。
【０１１０】
搬送ルート表示エリア１２ａには、指定した搬送ボックス１０が指定した日付に発送元１４（出発地）から搬送先１５（目的地）に到着するまでに辿った搬送ルートが表示されるとともに、時間軸１２ｏを移動させることで発送元１４（出発地）から搬送先１５（目的地）までの搬送ボックス１０の位置データ、位置住所、日時、距離が表示される。最適搬送ルート表示エリア１２ｂには、搬送ルート割出手段によって割り出された最適搬送ルートが表示される。発送者は、搬送ルート表示エリア１２ａに表示された搬送ルートを見ることで、指定した搬送ボックス１０が指定した日付に発送元１４（出発地）から搬送先１５（目的地）に到着するまでに辿った搬送ルートを事後に知ることができる。
【０１１１】
搬送ボックス１０は、発送元１４（出発地）から搬送先１５（目的地）までの搬送ボックス１０の位置のログを取ることができに、出発地から目的地までの搬送ボックス１０の位置を事後的に確認することができる。搬送ボックス１０は、発送元１４（出発地）から搬送先１５（目的地）までの搬送ボックス１０の移動ルートのログを取ることができ、出発地から目的地までの搬送ボックス１０の移動ルートを事後的に確認することができるとともに、予定した搬送ルートによって搬送ボックス１０が搬送されたことを事後的に確認することができる。
【０１１２】
搬送速度表示エリア１２ｃには、指定した搬送ボックス１０が指定した日付に発送元１４（出発地）から搬送先１５（目的地）に到着するまでの平均搬送速度が表示され、最適搬送速度表示エリア１２ｄには、搬送速度算出手段によって算出された搬送速度が表示される。発送者は、搬送速度表示エリア１２ｃに表示された平均搬送速度を見ることで、指定した搬送ボックス１０が指定した日付に発送元１４（出発地）から搬送先１５（目的地）に到着するまでの平均搬送速度を事後に知ることができる。搬送ボックス１０は、出発地から目的地までの搬送ボックス１０の平均搬送速度のログを取ることができ、出発地から目的地までの搬送ボックス１０の平均搬送速度を事後的に確認することができる。
【０１１３】
出発時間表示エリア１２ｅには、発送元１４（出発地）の出発時間が表示され、到着時間表示エリア１２ｆには、搬送先１５（目的地）への到着時間が表示され、搬送ボックス識別子（識別番号）表示エリア１２ｈには、搬送ボックス識別子（識別番号）が表示される。発送物品名表示エリア１２ｉには、発送物品名が表示され、発送物品番号表示エリア１２ｊには、発送物品番号が表示され、運送車両識別子（識別番号）表示エリア１２ｋには、運送車両識別子（識別番号）が表示される。
【０１１４】
図１３は、発送者のパーソナルコンピュータ１３ａ（外部受信機１３ａ）のディスプレイ３９に表示された衝撃確認画面の一例を示す図である。物品の搬送中に搬送ボックス１０に加えられた衝撃を確認するには、図４のメニュー画面の搬送条件表示ボタン４ｃをクリックする。搬送条件表示ボタン４ｃをクリックすると、図示はしていないが、搬送ボックス・測定条件選択画面がパーソナルコンピュータ１３ａのディスプレイ３９に表示される。搬送ボックス選択画面には、搬送ボックス識別子（識別番号）入力エリア、発送日入力エリア、発送物品名入力エリア、発送物品番号入力エリア、運送車両識別子（識別番号）入力エリア、測定条件選択エリア、決定ボタン、クリアボタン、戻るボタン、キャンセルボタンが表示される。測定条件選択エリアには、衝撃表示、温度表示、湿度表示、圧力表示、光表示の各表示項目が表示される。
【０１１５】
各入力エリアに各データを入力し、測定条件選択エリアに表示された各表示項目から衝撃表示を選択（反転させた）した後、決定ボタンをクリックする。決定ボタンをクリックすると、図１３に示す衝撃確認画面がパーソナルコンピュータ１３ａのディスプレイ３９に表示される。図１３の衝撃確認画面には、搬送ルート表示エリア１３ａ、搬送速度表示エリア１３ｂ、最適搬送速度表示エリア１３ｃ、出発時間表示エリア１３ｄ、到着時間表示エリア１３ｅ、走行距離表示エリア１３ｆ、搬送ボックス識別子（識別番号）表示エリア１３ｇ、発送物品名表示エリア１３ｈ、発送物品番号表示エリア１３ｉ、運送車両識別子（識別番号）表示エリア１３ｊ、衝撃表示エリア１３ｋ、印刷ボタン１３ｌ、メニュー画面ボタン１３ｍ、キャンセルボタン１３ｎが表示される。印刷ボタン１３ｌをクリックすると、搬送ルートと衝撃表示エリア１３ｋの各データとが印刷される。
【０１１６】
衝撃表示エリア１３ｋには、許容衝撃値を表示した許容衝撃値表示エリア、搬送ボックス１０の搬送中に搬送ボックス１０に加えられた衝撃測定値とその測定日時とを表示した衝撃測定値・測定日時表示エリア、搬送ボックス１０の搬送中に搬送ボックス１０に加えられた異常衝撃測定値とその測定日時とを表示した異常衝撃測定値・測定日時表示エリアが表示される。なお、搬送ボックス１０が異常な衝撃を受けることなく搬送された場合、異常衝撃測定値・測定日時表示エリアはブランクになる。また、時間軸１３ｏを移動させることで発送元１４（出発地）から搬送先１５（目的地）まで間に搬送ボックス１０に加えられた衝撃の時間の経過にともなう衝撃測定値の変化や異常衝撃測定値の変化が衝撃表示エリア１３ｋに表示されるとともに、衝撃を受けた位置データや位置住所、日時が搬送ルート表示エリア１３ａに表示される。
【０１１７】
発送者は、衝撃表示エリア１３ｋに表示された衝撃測定値・測定日時表示エリアを見ることで、発送元１４（出発地）から搬送先１５（目的地）に到着するまでの間に指定した搬送ボックス１０に加えられた衝撃を事後に知ることができ、衝撃表示エリア１３ｋに表示された異常衝撃測定値・測定日時表示エリアを見ることで、発送元１４（出発地）から搬送先１５（目的地）に到着するまでの間に指定した搬送ボックス１０に加えられた異常衝撃を事後に知ることができる。搬送ボックス１０は、発送元１４（出発地）から搬送先１５（目的地）までの間に搬送ボックス１０に加えられた衝撃や異常衝撃のログを取ることができ、出発地から目的地までに搬送ボックス１０に加えられた衝撃や異常衝撃を事後的に確認することができ、物品のダメージの原因がその異常衝撃であることを知ることができる。
【０１１８】
図１４は、発送者のパーソナルコンピュータ１３ａ（外部受信機１３ａ）のディスプレイ３９に表示された温度確認画面の一例を示す図である。物品の搬送中における搬送ボックス１０の収容空間１７の温度を確認するには、図４のメニュー画面の搬送条件表示ボタン４ｃをクリックし、パーソナルコンピュータ１３ａのディスプレイ３９に表示された図示しない搬送ボックス・測定条件選択画面（図１３の説明参照）の各入力エリアに各データを入力し、測定条件選択エリアに表示された各表示項目から温度表示を選択（反転させた）した後、決定ボタンをクリックする。
【０１１９】
決定ボタンをクリックすると、図１４に示す温度確認画面がパーソナルコンピュータ１３ａのディスプレイ３９に表示される。図１４の温度確認画面には、搬送ルート表示エリア１４ａ、搬送速度表示エリア１４ｂ、最適搬送速度表示エリア１４ｃ、出発時間表示エリア１４ｄ、到着時間表示エリア１４ｅ、走行距離表示エリア１４ｆ、搬送ボックス識別子（識別番号）表示エリア１４ｇ、発送物品名表示エリア１４ｈ、発送物品番号表示エリア１４ｉ、運送車両識別子（識別番号）表示エリア１４ｊ、温度表示エリア１４ｋ、印刷ボタン１４ｌ、メニュー画面ボタン１４ｍ、キャンセルボタン１４ｎが表示される。印刷ボタン１４ｌをクリックすると、搬送ルートと温度表示エリア１４ｋの各データとが印刷される。
【０１２０】
温度表示エリア１４ｋには、許容温度値を表示した許容温度値表示エリア、搬送ボックス１０の搬送中における搬送ボックス１０の収容空間１７の温度測定値とその測定日時とを表示した温度測定値・測定日時表示エリア、搬送ボックス１０の搬送中における搬送ボックス１０の収容空間１７の異常温度測定値とその測定日時とを表示した異常温度測定値・測定日時表示エリアが表示される。なお、搬送ボックス１０の収容空間１７が異常な温度になることがなく搬送された場合、異常温度測定値・測定日時表示エリアはブランクになる。また、時間軸１４ｏを移動させることで発送元１４（出発地）から搬送先１５（目的地）まで間における搬送ボックス１０の収容空間１７の温度の時間の経過にともなう温度測定値の変化や異常温度測定値の変化が衝撃表示エリア１４ｋに表示されるとともに、温度を測定した位置データや位置住所、日時が搬送ルート表示エリア１４ａに表示される。
【０１２１】
発送者は、温度表示エリア１４ｋに表示された温度測定値・測定日時表示エリアを見ることで、発送元１４（出発地）から搬送先１５（目的地）に到着するまでの間における指定した搬送ボックス１０の収容空間１７の温度を事後に知ることができ、温度表示エリア１４ｋに表示された異常温度測定値・測定日時表示エリアを見ることで、発送元１４（出発地）から搬送先１５（目的地）に到着するまでの間における指定した搬送ボックス１０の収容空間１７の異常温度を事後に知ることができる。搬送ボックス１０は、発送元１４（出発地）から搬送先１５（目的地）までの間における搬送ボックス１０の収容空間の温度や異常温度のログを取ることができ、出発地から目的地までにおける搬送ボックス１０の収容空間１７の温度や異常温度を事後的に確認することができ、物品のダメージの原因がその異常温度であることを知ることができる。
【０１２２】
図１５は、発送者のパーソナルコンピュータ１３ａ（外部受信機１３ａ）のディスプレイ３９に表示された湿度確認画面の一例を示す図である。物品の搬送中における搬送ボックス１０の収容空間１７の湿度を確認するには、図４のメニュー画面の搬送条件表示ボタン４ｃをクリックし、パーソナルコンピュータ１３ａのディスプレイ３９に表示された図示しない搬送ボックス・測定条件選択画面（図１３の説明参照）の各入力エリアに各データを入力し、測定条件選択エリアに表示された各表示項目から湿度表示を選択（反転させた）した後、決定ボタンをクリックする。
【０１２３】
決定ボタンをクリックすると、図１５に示す湿度確認画面がパーソナルコンピュータ１３ａのディスプレイ３９に表示される。図１５の湿度確認画面には、搬送ルート表示エリア１５ａ、搬送速度表示エリア１５ｂ、最適搬送速度表示エリア１５ｃ、出発時間表示エリア１５ｄ、到着時間表示エリア１５ｅ、走行距離表示エリア１５ｆ、搬送ボックス識別子（識別番号）表示エリア１５ｇ、発送物品名表示エリア１５ｈ、発送物品番号表示エリア１５ｉ、運送車両識別子（識別番号）表示エリア１５ｊ、湿度表示エリア１５ｋ、印刷ボタン１５ｌ、メニュー画面ボタン１５ｍ、キャンセルボタン１５ｎが表示される。印刷ボタン１５ｌをクリックすると、搬送ルートと湿度表示エリア１５ｋの各データとが印刷される。
【０１２４】
湿度表示エリア１５ｋには、許容湿度値を表示した許容湿度値表示エリア、搬送ボックス１０の搬送中における搬送ボックス１０の収容空間１７の湿度測定値とその測定日時とを表示した湿度測定値・測定日時表示エリア、搬送ボックス１０の搬送中における搬送ボックス１０の収容空間１７の異常湿度測定値とその測定日時とを表示した異常湿度測定値・測定日時表示エリアが表示される。なお、搬送ボックス１０の収容空間１７が異常な湿度になることがなく搬送された場合、異常湿度測定値・測定日時表示エリアはブランクになる。また、時間軸１５ｏを移動させることで発送元１４（出発地）から搬送先１５（目的地）まで間における搬送ボックス１０の収容空間１７の湿度の時間の経過にともなう湿度測定値の変化や異常湿度測定値の変化が湿度表示エリア１５ｋに表示されるとともに、湿度を測定した位置データや位置住所、日時が搬送ルート表示エリア１５ａに表示される。
【０１２５】
発送者は、湿度表示エリア１５ｋに表示された湿度測定値・測定日時表示エリアを見ることで、発送元１４（出発地）から搬送先１５（目的地）に到着するまでの間における指定した搬送ボックス１０の収容空間１７の湿度を事後に知ることができ、湿度表示エリア１５ｋに表示された異常湿度測定値・測定日時表示エリアを見ることで、発送元１４（出発地）から搬送先１５（目的地）に到着するまでの間における指定した搬送ボックス１０の収容空間１７の異常湿度を事後に知ることができる。搬送ボックス１０は、発送元１４（出発地）から搬送先１５（目的地）までの間における搬送ボックス１０の収容空間の湿度や異常湿度のログを取ることができ、出発地から目的地までにおける搬送ボックス１０の収容空間１７の湿度や異常湿度を事後的に確認することができ、物品のダメージの原因がその異常湿度であることを知ることができる。
【０１２６】
図１６は、発送者のパーソナルコンピュータ１３ａ（外部受信機１３ａ）のディスプレイ３９に表示された圧力確認画面の一例を示す図である。物品の搬送中における搬送ボックス１０の収容空間１７の圧力を確認するには、図４のメニュー画面の搬送条件表示ボタン４ｃをクリックし、パーソナルコンピュータ１３ａのディスプレイ３９に表示された図示しない搬送ボックス・測定条件選択画面（図１３の説明参照）の各入力エリアに各データを入力し、測定条件選択エリアに表示された各表示項目から圧力表示を選択（反転させた）した後、決定ボタンをクリックする。
【０１２７】
決定ボタンをクリックすると、図１６に示す圧力確認画面がパーソナルコンピュータ１３ａのディスプレイ３９に表示される。図１６の圧力確認画面には、搬送ルート表示エリア１６ａ、搬送速度表示エリア１６ｂ、最適搬送速度表示エリア１６ｃ、出発時間表示エリア１６ｄ、到着時間表示エリア１６ｅ、走行距離表示エリア１６ｆ、搬送ボックス識別子（識別番号）表示エリア１６ｇ、発送物品名表示エリア１６ｈ、発送物品番号表示エリア１６ｉ、運送車両識別子（識別番号）表示エリア１６ｊ、圧力表示エリア１６ｋ、印刷ボタン１６ｌ、メニュー画面ボタン１６ｍ、キャンセルボタン１６ｎが表示される。印刷ボタン１６ｌをクリックすると、搬送ルートと圧力表示エリア１６ｋの各データとが印刷される。
【０１２８】
圧力表示エリア１６ｋには、許容圧力値を表示した許容圧力値表示エリア、搬送ボックス１０の搬送中における搬送ボックス１０の収容空間１７の圧力測定値とその測定日時とを表示した圧力測定値・測定日時表示エリア、搬送ボックス１０の搬送中における搬送ボックス１０の収容空間１７の異常圧力測定値とその測定日時とを表示した異常圧力測定値・測定日時表示エリアが表示される。なお、搬送ボックス１０の収容空間１７が異常な圧力になることがなく搬送された場合、異常圧力測定値・測定日時表示エリアはブランクになる。また、時間軸１６ｏを移動させることで発送元１４（出発地）から搬送先１５（目的地）まで間における搬送ボックス１０の収容空間１７の圧力の時間の経過にともなう圧力測定値の変化や異常圧力測定値の変化が圧力表示エリア１６ｋに表示されるとともに、圧力を測定した位置データや位置住所、日時が搬送ルート表示エリア１６ａに表示される。
【０１２９】
発送者は、圧力表示エリア１６ｋに表示された圧力測定値・測定日時表示エリアを見ることで、発送元１４（出発地）から搬送先１５（目的地）に到着するまでの間における指定した搬送ボックス１０の収容空間１７の圧力を事後に知ることができ、圧力表示エリア１６ｋに表示された異常圧力測定値・測定日時表示エリアを見ることで、発送元１４（出発地）から搬送先１５（目的地）に到着するまでの間における指定した搬送ボックス１０の収容空間１７の異常圧力を事後に知ることができる。搬送ボックス１０は、発送元１４（出発地）から搬送先１５（目的地）までの間における搬送ボックス１０の収容空間の圧力や異常圧力のログを取ることができ、出発地から目的地までにおける搬送ボックス１０の収容空間１７の圧力や異常圧力を事後的に確認することができ、物品のダメージの原因がその異常圧力であることを知ることができる。
【０１３０】
図１７は、発送者のパーソナルコンピュータ１３ａ（外部受信機１３ａ）のディスプレイ３９に表示された光確認画面の一例を示す図である。物品の搬送中における搬送ボックス１０の収容空間１７の光の状態を確認するには、図４のメニュー画面の搬送条件表示ボタン４ｃをクリックし、パーソナルコンピュータ１３ａのディスプレイ３９に表示された図示しない搬送ボックス・測定条件選択画面（図１３の説明参照）の各入力エリアに各データを入力し、測定条件選択エリアに表示された各表示項目から光表示を選択（反転させた）した後、決定ボタンをクリックする。
【０１３１】
決定ボタンをクリックすると、図１７に示す光確認画面がパーソナルコンピュータ１３ａのディスプレイ３９に表示される。図１７の光確認画面には、搬送ルート表示エリア１７ａ、搬送速度表示エリア１７ｂ、最適搬送速度表示エリア１７ｃ、出発時間表示エリア１７ｄ、到着時間表示エリア１７ｅ、走行距離表示エリア１７ｆ、搬送ボックス識別子（識別番号）表示エリア１７ｇ、発送物品名表示エリア１７ｈ、発送物品番号表示エリア１７ｉ、運送車両識別子（識別番号）表示エリア１７ｊ、光表示エリア１７ｋ、印刷ボタン１７ｌ、メニュー画面ボタン１７ｍ、キャンセルボタン１７ｎが表示される。印刷ボタン１７ｌをクリックすると、搬送ルートと光表示エリア１７ｋの各データとが印刷される。
【０１３２】
光表示エリア１７ｋには、許容光値を表示した許容光値表示エリア、搬送ボックス１０の搬送中における搬送ボックス１０の収容空間１７の光測定値とその測定日時とを表示した光測定値・測定日時表示エリア、搬送ボックス１０の搬送中における搬送ボックス１０の収容空間１７の異常光測定値とその測定日時とを表示した異常光測定値・測定日時表示エリアが表示される。なお、搬送ボックス１０の収容空間１７が異常な光の状態になることがなく搬送された場合、異常光測定値・測定日時表示エリアはブランクになる。また、時間軸１７ｏを移動させることで発送元１４（出発地）から搬送先１５（目的地）まで間における搬送ボックス１０の収容空間１７の光の時間の経過にともなう光測定値の変化や異常光測定値の変化が光表示エリア１７ｋに表示されるとともに、光を測定した位置データや位置住所、日時が搬送ルート表示エリア１７ａに表示される。
【０１３３】
発送者は、光表示エリア１７ｋに表示された光測定値・測定日時表示エリアを見ることで、発送元１４（出発地）から搬送先１５（目的地）に到着するまでの間における指定した搬送ボックス１０の収容空間１７の光の状態を事後に知ることができ、光表示エリア１７ｋに表示された異常光測定値・測定日時表示エリアを見ることで、発送元１４（出発地）から搬送先１５（目的地）に到着するまでの間における指定した搬送ボックス１０の収容空間１７の異常光を事後に知ることができる。搬送ボックス１０は、発送元１４（出発地）から搬送先１５（目的地）までの間における搬送ボックス１０の収容空間の光や異常光のログを取ることができ、出発地から目的地までにおける搬送ボックス１０の収容空間１７の光や異常光を事後的に確認することができ、物品のダメージの原因がその異常光であることを知ることができる。
【符号の説明】
【０１３４】
１０    搬送ボックス
１１    搬送システム
１２    運送車両（車両）
１３ａ  パーソナルコンピュータ（外部受信装置）
１３ｂ  タブレット（外部受信機）
１３ｃ  パーソナルコンピュータ（外部受信装置）
１４    発送元（出発地）
１５    搬送先（目的地）
１６    インターネット
１７    収容空間
１８    ボックス本体
１９    頂部開口
２０    蓋
２１    コントロールケース
２２    底面プレート
２３    前面プレート
２４    後面プレート
２５    側面プレート
２６    側面プレート
２７    緩衝材
２８    コンピュータシステム
２９    ＧＰＳモジュール
３０    センサモジュール
３１    無線モジュール
３２    表示装置
３３    衝撃センサ
３４    温度センサ
３５    湿度センサ
３６    圧力センサ
３７    光センサ
３８    アンテナ
３９    ディスプレイ
４０    タッチパネル
【図１】
2019018870.tif 000003
【図２】
2019018870.tif 000004
【図３】
2019018870.tif 000005
【図４】
2019018870.tif 000006
【図５】
2019018870.tif 000007
【図６】
2019018870.tif 000008
【図７】
2019018870.tif 000009
【図８】
2019018870.tif 000010
【図９】
2019018870.tif 000011
【図１０】
2019018870.tif 000012
【図１１】
2019018870.tif 000013
【図１２】
2019018870.tif 000014
【図１３】
2019018870.tif 000015
【図１４】
2019018870.tif 000016
【図１５】
2019018870.tif 000017
【図１６】
2019018870.tif 000018
【図１７】
2019018870.tif 000019